(57)【要約】【課題】利便性を高めることが可能な重要物管理装置を提供する。【解決手段】重要物２０１の貫通穴２２２に挿入されて重要物２０１に連結されるホルダ２０２と、ホルダ２０２が着脱可能であってホルダ２０２を装着状態でロックする保持部２０５を有する装置本体１２と、を備え、重要物２０１は、電子データを記憶する可搬型の記憶媒体２０１を含んでおり、装置本体１２は、保持部２０５にロックされたホルダ２０２に連結されている記憶媒体２０１に接続されて記憶媒体２０１にアクセス可能なデータアクセス部２０９を有する。【選択図】図２
2018193754.tif 000002
【特許請求の範囲】
【請求項１】
重要物の貫通穴に挿入されて前記重要物に連結されるホルダと、
前記ホルダが着脱可能であって前記ホルダを装着状態でロックする保持部を有する装置本体と、を備え、
前記重要物は、電子データを記憶する可搬型の記憶媒体を含んでおり、
前記装置本体は、前記保持部にロックされた前記ホルダに連結されている前記記憶媒体に接続されて該記憶媒体にアクセス可能なデータアクセス部を有することを特徴とする重要物管理装置。
【請求項２】
前記データアクセス部に接続されている前記記憶媒体の記憶データのセキュリティ管理処理を行うことを特徴とする請求項１記載の重要物管理装置。
【請求項３】
前記セキュリティ管理処理用のソフトウエアが通信により更新されることを特徴とする請求項２記載の重要物管理装置。
【請求項４】
前記データアクセス部に接続されている前記記憶媒体にデータを書き込むことを特徴とする請求項１から３のいずれか一項記載の重要物管理装置。
【請求項５】
前記データアクセス部に接続されている前記記憶媒体から読み取ったデータを送信可能であることを特徴とする請求項１から４のいずれか一項記載の重要物管理装置。
【請求項６】
前記ホルダには識別情報が記憶されており、
前記装置本体は、前記保持部に装着された前記ホルダの識別情報を読み取る読取部を有することを特徴とする請求項１から５のいずれか一項記載の重要物管理装置。
【請求項７】
前記重要物は、鍵を含んでいることを特徴とする請求項１から６のいずれか一項記載の重要物管理装置。
【発明の詳細な説明】
【技術分野】
【０００１】
本発明は、重要物管理装置に関する。
【背景技術】
【０００２】
例えば銀行等の金融機関の店舗において、鍵等の重要物を管理する重要物管理装置が用いられている（例えば、特許文献１参照）。
【先行技術文献】
【特許文献】
【０００３】
【特許文献１】特開２０１４−９１９９５号公報
【発明の概要】
【発明が解決しようとする課題】
【０００４】
上記重要物管理装置は、管理対象の重要物として主に鍵を管理するものであり、一対一で鍵を保持するホルダと、ホルダを整列状態で着脱可能に保持する装置本体とを有している。重要物管理装置の管理対象の重要物としては、ホルダを通せる貫通孔を有するものであれば、鍵に限定される訳ではなく、例えば、貫通孔を有するカードなども管理可能となっている。上記重要物管理装置は、持出・返却モード、交換モード、新規登録モード、およびログ出力モードでの使用が可能となっており、前記モードの切り替えは、モード切替の許可有の担当者識別番号をＩＤカードから読み取ることにより可能となる。
【０００５】
上記の重要物管理装置は、管理対象の重要物の持ち出しから返却までの行為を、担当者識別番号とホルダ位置とを含め、時系列に管理してその履歴を記録することができるため、後での当該重要物の追跡が容易になるというメリットがある。
【０００６】
このような重要物管理装置の利便性をさらに高めることが求められている。
【０００７】
本発明は、利便性を高めることが可能な重要物管理装置の提供を目的とする。
【課題を解決するための手段】
【０００８】
上記目的を達成するために、本発明に係る第１の態様は、重要物の貫通穴に挿入されて前記重要物に連結されるホルダと、前記ホルダが着脱可能であって前記ホルダを装着状態でロックする保持部を有する装置本体と、を備え、前記重要物は、電子データを記憶する可搬型の記憶媒体を含んでおり、前記装置本体は、前記保持部にロックされた前記ホルダに連結されている前記記憶媒体に接続されて該記憶媒体にアクセス可能なデータアクセス部を有することを特徴とする。
【０００９】
上記第１の態様によれば、可搬型の記憶媒体にその貫通穴に挿入されて連結された状態のホルダを、装置本体の保持部に装着状態でロックすることで、可搬型の記憶媒体を装置本体によって保管することができる。しかも、この保管時に、保持部にロックされたホルダに連結されている記憶媒体を装置本体のデータアクセス部に接続させるとデータアクセス部が記憶媒体にアクセス可能となる。よって、利便性を高めることが可能となる。
【００１０】
本発明に係る第２の態様は、上記第１の態様において、前記データアクセス部に接続されている前記記憶媒体の記憶データのセキュリティ管理処理を行うことを特徴とする。
【００１１】
上記第２の態様によれば、データアクセス部に接続されている記憶媒体の記憶データのセキュリティ管理処理を行うことができる。
【００１２】
本発明に係る第３の態様は、上記第２の態様において、前記セキュリティ管理処理用のソフトウエアが通信により更新されることを特徴とする。
【００１３】
上記第３の態様によれば、セキュリティ管理処理用のソフトウエアが通信により更新されるため、更新が容易となる。
【００１４】
本発明に係る第４の態様は、上記第１から第３のいずれか一態様において、前記データアクセス部に接続されている前記記憶媒体にデータを書き込むことを特徴とする。
【００１５】
上記第４の態様によれば、データアクセス部に接続されている記憶媒体にデータを書き込むことができる。
【００１６】
本発明に係る第５の態様は、上記第１から第４のいずれか一態様において、前記データアクセス部に接続されている前記記憶媒体から読み取ったデータを送信可能であることを特徴とする。
【００１７】
上記第５の態様によれば、データアクセス部に接続されている記憶媒体から読み取ったデータを送信することができる。
【００１８】
本発明に係る第６の態様は、上記第１から第５のいずれか一態様において、前記ホルダには識別情報が記憶されており、前記装置本体は、前記保持部に装着された前記ホルダの識別情報を読み取る読取部を有することを特徴とする。
【００１９】
上記第６の態様によれば、装置本体の読取部が、保持部に装着されたホルダの識別情報を読み取るため、保持部に装着されたホルダの識別情報を得ることができる。
【００２０】
本発明に係る第７の態様は、上記第１から第６のいずれか一態様において、前記重要物は、鍵を含んでいることを特徴とする。
【００２１】
上記第７の態様によれば、鍵にその貫通穴に挿入されて連結された状態のホルダを、装置本体の保持部に装着状態でロックすることで、鍵を装置本体によって保管することができる。よって、記憶媒体と鍵とを纏めて管理することができる。
【発明の効果】
【００２２】
本発明によれば、利便性を高めることが可能な重要物管理装置を提供することができる。
【図面の簡単な説明】
【００２３】
【図１】本発明に係る一実施形態の重要物管理装置を示す斜視図である。
【図２】本発明に係る一実施形態の重要物管理装置の要部を示す斜視図である。
【図３】本発明に係る一実施形態の重要物管理装置の装置本体を示す制御系ブロック図である。
【図４】本発明に係る一実施形態の重要物管理装置の着脱部材を示す斜視図である。
【図５】本発明に係る一実施形態の重要物管理装置の鍵ホルダの連結部材を示す斜視図である。
【図６】本発明に係る一実施形態の重要物管理装置の鍵、鍵ホルダおよび解除具を示す断面図であって、（ａ）は連結部材のロック状態を、（ｂ）は連結部材のロック解除状態を示すものである。
【図７】本発明に係る一実施形態の重要物管理装置の連結部材を示すもので、（ａ）は図６のＡ−Ａ断面図、（ｂ）は図６のＢ−Ｂ断面図である。
【図８】本発明に係る一実施形態の重要物管理装置における記憶部の記憶例である。
【図９】本発明に係る一実施形態の重要物管理装置における、（ａ），（ｂ）は持出状況データを、（ｃ）は付替状況データの各例を示すものである。
【図１０】本発明に係る一実施形態の重要物管理装置におけるログ出力データの例である。
【図１１】本発明に係る一実施形態の重要物管理装置の変形例を示す斜視図である。
【発明を実施するための形態】
【００２４】
本発明に係る一実施形態の重要物管理装置を図面を参照して以下に説明する。
【００２５】
本実施形態の重要物管理装置１は、銀行等の金融機関の店舗で使用されるもので、図１に示すように、管理対象の重要物である鍵１０を一対一で保持する鍵ホルダ１１と、管理対象の重要物である可搬型の記憶媒体であるＵＳＢメモリ２０１を一対一で保持するメモリホルダ２０２と、鍵ホルダ１１およびメモリホルダ２０２を整列状態で着脱可能に保持する装置本体１２と、を有するものである。ここで、鍵１０は、その用途が、金融機関に設置された金庫の扉の開閉用、現金処理機の扉の開閉用、現金処理機の扉内の現金収納庫の扉の開閉用、現金処理機の扉内の回収庫の扉の開閉用、現金処理機の主電源のオン・オフ切り換え用等となっている。また、ＵＳＢメモリ２０１は電子データを記憶するもので、その用途が、現金処理機の管理データや保守データ等の運搬用となっている。このように、本実施形態の重要物管理装置１が管理する重要物は、鍵１０およびＵＳＢメモリ２０１を含んでいる。
【００２６】
装置本体１２は、装置主体部１４と、この装置主体部１４の上下方向中間部から下部に設けられた開閉部１５を覆う開閉可能なカバー１６とを有している。カバー１６は、装置主体部１４の右側縁部に設けられたヒンジ１７を介して一端側が装置主体部１４に回動可能に連結されており、他端側の内面には、係合突起部１８および検出突起部１９が固定されている。
【００２７】
装置主体部１４には、カバー１６で閉塞されない上部に、担当者による暗証番号等の入力操作や文字の入力操作がなされる複数の操作キー２１ａを有する操作部２１と、日時、操作状況、アラーム情報およびガイダンス等を表示する液晶ディスプレイからなる表示部２２と、ＩＤカード２３が走査されると、このＩＤカード２３からデータを読み取るカードリーダ２４と、必要な情報を紙面に印字して重要物管理装置本体上面の排紙口２５ａから排紙するプリンタ部２５と、音声を発生させる音声出力部２６とが設けられている。なお、ＩＤカード２３は、ＩＣチップを有する電子カードや磁気カード等からなるもので、重要物管理装置１の使用が許可されたすべての担当者にそれぞれ個別に準備されて他との識別のための個別の担当者識別番号等が記憶されている。また、操作部２１は、数字のほかに、アルファベット、ひらがなおよびカタカナのうちの少なくとも一種類の入力が可能となっている。必要により漢字変換を可能としても良い。
【００２８】
装置主体部１４には、カバー１６で閉塞されない側部に、主電源のオン・オフ操作が入力される電源スイッチ２７と、外部電源用の電源ケーブルが接続される電源接続部２８と、通信回線が接続されてネットワークと通信可能となる通信接続部２２５とが設けられている。
【００２９】
装置主体部１４には、カバー１６で閉塞される開閉部１５に、それぞれが一対一で対応する鍵ホルダ１１を取り外し不可となるように装着状態でロックする多数の鍵保持部３１が上下二段に整列状態で設けられている。上段の鍵保持部３１の数（具体的には１５箇所）よりも下段の鍵保持部３１の数（具体的には１０箇所）の方が少なくなっており、開閉部１５には、それぞれが一対一で対応するメモリホルダ２０２を取り外し不可となるように装着状態でロックする複数（具体的には５箇所）のメモリ保持部２０５が、下段の鍵保持部３１に並んで、整列状態で設けられている。言い換えれば、装置本体１２は、鍵ホルダ１１が着脱可能であって鍵ホルダ１１を装着状態でロックする鍵保持部３１と、メモリホルダ２０２が着脱可能であってメモリホルダ２０２を装着状態でロックするメモリ保持部２０５とを有している。
【００３０】
図２に示すように、メモリ保持部２０５のそれぞれの下方には、ＵＳＢメモリ２０１のＵＳＢオスコネクタ２０７が差し込まれるＵＳＢメスコネクタ２０８を含むデータアクセス部２０９が、ＵＳＢメスコネクタ２０８を上向きに開口させて設けられている。データアクセス部２０９は、そのＵＳＢメスコネクタ２０８に、ＵＳＢメモリ２０１のＵＳＢオスコネクタ２０７が差し込まれて係合すると、ＵＳＢメモリ２０１に通信可能に接続される。
【００３１】
装置本体１２は、データアクセス部２０９に接続されているＵＳＢメモリ２０１から電子データを読み込んだり、データアクセス部２０９に接続されているＵＳＢメモリ２０１に電子データを書き込んだりする。装置本体１２は、データアクセス部２０９に接続されているＵＳＢメモリ２０１から読み込んだ電子データを、図１に示す通信接続部２２５に接続された通信回線を介してネットワークに送信可能となっている。また、重要物管理装置１は、ＵＳＢメモリ２０１の出し入れの管理だけでなくデータアクセス部２０９を設けてＵＳＢメモリ２０１のウイルスの検知等が可能となっている。
【００３２】
図２に示すように、メモリ保持部２０５とデータアクセス部２０９とは、装置左右方向の位置が合うもの同士が同一のメモリ管理部２１１を構成しており、このようなメモリ管理部２１１が装置左右方向に並んで複数（具体的には５箇所）設けられている。
【００３３】
図１に示すように、開閉部１５には、カバー１６の閉時に係合突起部１８が挿入される係合挿入穴３２と、カバー１６の閉時に検出突起部１９が挿入される検出挿入穴３３とが設けられている。さらに、開閉部１５には、収納部３４が設けられている。
【００３４】
係合挿入穴３２の内側には、係合挿入穴３２に挿入された係合突起部１８をロックおよびロック解除する電磁駆動式の図３に示すカバーロック機構３５が設けられており、検出挿入穴３３の内側には、検出挿入穴３３に挿入された検出突起部１９の挿入・非挿入を検出することでカバー１６が閉状態にあるか否かを検出する図３に示す閉検出センサ３７が設けられている。カバーロック機構３５は、カバー１６が閉じられることで検出突起部１９の挿入を閉検出センサ３７が検出したことを条件に、係合突起部１８を係合挿入穴３２内でロックする。
【００３５】
重要物管理装置１は、装置主体部１４の上部に設けられた取っ手３８を介して持ち運び可能となっており、また背面に設けられた折り畳み収納式のスタンド３９を用いることで机上等に傾斜状態で立設可能となっている。
【００３６】
鍵ホルダ１１は、装置本体１２の鍵保持部３１に対し着脱可能であって装着状態でロックされる図４に示す着脱部材４０と、この着脱部材４０に鍵１０を連結する図５に示す連結部材４１とからなっている。
【００３７】
図２に示すように、メモリホルダ２０２は、装置本体１２のメモリ保持部２０５に対し着脱可能であって装着状態でロックされる、鍵ホルダ１１と同様の着脱部材４０と、この着脱部材４０にＵＳＢメモリ２０１を連結する線状の連結部材２２１とからなっている。
【００３８】
着脱部材４０には、図４に示すように、厚さ方向に貫通する貫通穴４２が長さ方向の一端に形成されており、ＩＣタグ４３が側面に貼着されている。ＩＣタグ４３には、これが設けられた着脱部材４０が一対一で保持する鍵１０およびＵＳＢメモリ２０１のうちの一つを、他の鍵１０およびＵＳＢメモリ２０１と識別するための個別の着脱部材識別番号が記憶されている。さらに、着脱部材４０には、ＩＣタグ４３に記憶されたものと同じ個別の着脱部材識別番号が視認可能に表記された着脱部材識別表記部４４が側面に設けられている。
【００３９】
図２に示すように、ＵＳＢメモリ２０１には、長さ方向の一端側に設けられたＵＳＢオスコネクタ２０７とは反対側にＵＳＢメモリ２０１を貫通して貫通穴２２２が形成されている。線状の連結部材２２１は、ＵＳＢメモリ２０１の貫通穴２２２と着脱部材４０の貫通穴４２とに挿入された後、両端が連結されて固定されることで環状となる。これにより、着脱部材４０と連結部材２２１とからなるメモリホルダ２０２は、重要物であるＵＳＢメモリ２０１の貫通穴２２２に挿入されてＵＳＢメモリ２０１に連結される。ＵＳＢメモリ２０１には、状態を表示するためのＬＥＤからなる表示ランプ２２３が設けられている。
【００４０】
図１に示すように、複数の鍵保持部３１および複数のメモリ保持部２０５は、いずれも同様の構成となっており、それぞれが、着脱部材４０が挿入される個別の着脱部材装着穴４５と、着脱部材装着穴４５に着脱部材４０が挿入されるとこれをロックしてロック状態で保持し、かつロック解除可能な個別の電磁駆動式の図３に示す着脱部材ロック機構４６とを有している。
【００４１】
また、鍵保持部３１およびメモリ保持部２０５は、それぞれが、同じ鍵保持部３１あるいはメモリ保持部２０５を構成する着脱部材ロック機構４６のロックを解除する際に押圧される操作ボタンであって点灯および点滅することで操作を案内可能な表示ランプ５０が一体に設けられた操作ボタン５１と、装着された着脱部材４０の図４に示すＩＣタグ４３と通信可能であって通信状態から非通信状態への切り替えで鍵１０あるいはＵＳＢメモリ２０１の持ち出しを検出し非通信状態から通信状態への切り替えで鍵１０あるいはＵＳＢメモリ２０１の返却を検出する図３に示すＩＣタグリーダ５２（読取部）とを有している。すべての鍵保持部３１およびメモリ保持部２０５には、他の鍵保持部３１およびメモリ保持部２０５と識別するための例えば「００１」〜「０３０」のような個別の保持部識別番号が割り振られており、着脱部材装着穴４５の上側には、保持部識別番号が視認用に記載される保持部識別表記部５３が設けられている。
【００４２】
ここで、図２に示すように、ＵＳＢメモリ２０１と着脱部材４０とを連結する連結部材２２１の長さは、一のメモリ保持部２０５の着脱部材装着穴４５に一の着脱部材４０が装着されてロックされると、この一の着脱部材４０を含む一のメモリホルダ２０２に連結されたＵＳＢメモリ２０１が、前記一のメモリ保持部２０５と左右方向の位置が合うＵＳＢメスコネクタ２０８のみにＵＳＢオスコネクタ２０７を係合可能な長さとなっている。つまり、いずれも同じ一のメモリ管理部２１１を構成するメモリ保持部２０５およびデータアクセス部２０９に、一のメモリホルダ２０２とこれに連結されたＵＳＢメモリ２０１とが同時に接続可能であり、一のメモリ管理部２１１を構成するメモリ保持部２０５と他のメモリ管理部２１１を構成するデータアクセス部２０９とに、一のメモリホルダ２０２とこれに連結されたＵＳＢメモリ２０１とが同時に接続されることは、連結部材２２１の長さが不足することで規制する。装置本体１２は、メモリ保持部２０５にロックされたメモリホルダ２０２に連結されているＵＳＢメモリ２０１に接続されてこのＵＳＢメモリ２０１にアクセス可能なデータアクセス部２０９を有している。
【００４３】
表示ランプ２２３は、これが設けられたＵＳＢメモリ２０１のＵＳＢオスコネクタ２０７が、データアクセス部２０９のＵＳＢメスコネクタ２０８に電気的に接続され、データアクセス部２０９とでデータのやり取りを行っている最中に点滅する。データアクセス部２０９は、ＵＳＢメスコネクタ２０８にＵＳＢオスコネクタ２０７を係合させた状態のＵＳＢメモリ２０１の表示ランプ２２３が、装置本体１２における正面前方に向く等、操作者側から視認できる向きに配置されるようにＵＳＢメスコネクタ２０８の向きが設定されている。これにより、ＵＳＢメモリ２０１がデータアクセス部２０９とのアクセス中に引き抜かれることを、視認可能な表示ランプ２２３の点滅で抑制する。
【００４４】
なお、一のメモリ管理部２１１に、一のメモリホルダ２０２とこれに連結されていない他のＵＳＢメモリ２０１とが接続されたり、一のＵＳＢメモリ２０１とこれに連結されていない他のメモリホルダ２０２とが接続されたりすることを、より一層規制するために、隣り合うデータアクセス部２０９同士の間に、例えば板金で仕切板を設けても良い。
【００４５】
重要物管理装置１では、ＵＳＢメモリ２０１に対して割り当てられたメモリ識別番号と、これに連結されるメモリホルダ２０２の着脱部材４０に対して割り当てられた着脱部材識別番号と、これらＵＳＢメモリ２０１および着脱部材４０が着脱されるメモリ管理部２１１に対して割り当てられた管理部識別番号と、このメモリ管理部２１１のメモリ保持部２０５に対して割り当てられた保持部識別番号と、このメモリ管理部２１１のデータアクセス部２０９に対して割り当てられたデータアクセス部識別番号とを共通の番号としている。以下の説明では、この共通の識別番号をメモリ類識別番号（識別情報）とする。このメモリ類識別番号は、メモリホルダ２０２のＩＣタグ４３に記憶されており、ＵＳＢメモリ２０１にもデータとして記憶されている。
【００４６】
メモリ保持部２０５に設けられたＩＣタグリーダ５２は、ＩＣタグ４３と通信状態にあってＩＣタグ４３に記憶されているメモリ類識別番号を読み込む状態から、ＩＣタグ４３と通信不可な状態となってメモリ類識別番号を読み込まない状態となると、このメモリ類識別番号のメモリホルダ２０２の取り外しを検出する。また、メモリ保持部２０５に設けられたＩＣタグリーダ５２は、ＩＣタグ４３と通信不可な状態にあってＩＣタグ４３に記憶されているメモリ類識別番号を読み込まない状態から、ＩＣタグ４３と通信可能な状態となってメモリ類識別番号を読み込む状態となると、このメモリ類識別番号のメモリホルダ２０２の取り付けを検出する。このように、装置本体１２は、メモリ保持部２０５に装着されたメモリホルダ２０２のＩＣタグ４３のメモリ類識別番号を読み取るＩＣタグリーダ５２を有している。
【００４７】
データアクセス部２０９は、ＵＳＢメモリ２０１と通信状態にあってＵＳＢメモリ２０１に記憶されているメモリ類識別番号を読み込む状態から、ＵＳＢメモリ２０１と通信不可な状態となってメモリ類識別番号を読み込まない状態となると、このメモリ類識別番号のＵＳＢメモリ２０１の取り外しを検出する。また、データアクセス部２０９は、ＵＳＢメモリ２０１と通信不可な状態にあってＵＳＢメモリ２０１に記憶されているメモリ類識別番号を読み込まない状態から、ＵＳＢメモリ２０１と通信可能な状態となってメモリ類識別番号を読み込む状態となると、このメモリ類識別番号のＵＳＢメモリ２０１の取り付けを検出する。
【００４８】
メモリ管理部２１１は、そのメモリ保持部２０５のＩＣタグリーダ５２でメモリホルダ２０２の取り外しを検出し、このメモリホルダ２０２と同じメモリ類識別番号のＵＳＢメモリ２０１の取り外しをそのデータアクセス部２０９で検出すると、このメモリ類識別番号のＵＳＢメモリ２０１およびメモリホルダ２０２の装置本体１２からの持ち出しを検出することになる。また、メモリ管理部２１１は、そのメモリ保持部２０５のＩＣタグリーダ５２でメモリホルダ２０２の取り付けを検出し、このメモリホルダ２０２と同じメモリ類識別番号のＵＳＢメモリ２０１の取り付けをそのデータアクセス部２０９で検出すると、このメモリ類識別番号のＵＳＢメモリ２０１およびメモリホルダ２０２の装置本体１２への返却を検出することになる。
【００４９】
図６に示すように、鍵１０には、厚さ方向に貫通する貫通穴６０が形成されており、着脱部材４０とで鍵ホルダ１１を構成する連結部材４１は、着脱部材４０の貫通穴４２と鍵１０の貫通穴６０とに挿入可能な線状部材６２と、線状部材６２をその両端部を同時に収容した状態でロックする連結部材本体６３とからなっている。これにより、着脱部材４０と連結部材４１とからなる鍵ホルダ１１は、重要物である鍵１０の貫通穴６０に挿入されて鍵１０に連結される。
【００５０】
線状部材６２は、線状のバネ鋼材等を塑性変形させることにより形成される可撓性の部材であり、半円より大きい円弧状の円弧状部６５と、円弧状部６５の一端および他端から径方向外側に互いに平行に延出する一対の延出部６６，６６と、一対の延出部６６，６６の円弧状部６５とは反対側の端部から互いに反対向きに延出する一対の係合部６７，６７とからなっている。線状部材６２を構成するこれら円弧状部６５、一対の延出部６６，６６および一対の係合部６７，６７は同一平面に配置されており、線状部材６２の両端部は一対の係合部６７，６７となっている。
【００５１】
連結部材本体６３は、合成樹脂を主体として形成される外側のケース６９と、合成樹脂で形成され線状部材６２の両端部である一対の係合部６７，６７を保持しつつケース６９内にスライド可能に設けられるスライド体７０とを有している。連結部材本体６３は、線状部材６２の一対の係合部６７，６７をスライド体７０で保持しつつ収容する。
【００５２】
ケース６９は、合成樹脂製のケース本体７１と、ケース本体７１内に埋設されてスライド体７０のケース６９に対するスライドを規制および規制解除するスライド規制部７２とからなっている。ケース本体７１は筒状をなしており、その長さ方向一側の内周部にスライド規制部７２が埋設され、その長さ方向他側の内周部がスライド体７０のスライドをガイドするスライドガイド穴７３となっている。スライドガイド穴７３には、図７（ａ）にも示すように、スライドガイド穴７３を横断するように変位規制部７４が形成されている。図６に示すスライドガイド穴７３のスライド規制部７２とは反対側において、スライド体７０に線状部材６２が着脱される。
【００５３】
スライド規制部７２は、合成樹脂製の規制部本体７６を有しており、規制部本体７６には、スライドガイド穴７３に繋がってスライドガイド穴７３とともにスライド体７０のスライドをガイドするスライドガイド穴７７が形成されている。また、規制部本体７６には、スライドガイド穴７７内に一端が開口するように複数具体的には三カ所の収容穴７８がスライドガイド穴７７の延在方向に直交する姿勢でスライドガイド穴７７の延在方向に並んで形成されている。三カ所の収容穴７８には、それぞれ底部側に金属製のバネ８２が開口部側に金属製のロック部材８３が配置されている。
【００５４】
スライド体７０は、スライドガイド穴７３にスライド可能に収容される頭部８５と、スライドガイド穴７７にスライド可能に収容される胴部８６とを有しており、スライドガイド穴７３，７７を結ぶ方向にスライドする。頭部８５には、胴部８６とは反対側からスライド体７０のスライド方向に沿って挿入穴８８が形成されている。この挿入穴８８の対向する内壁面には、一対の係合穴９０，９０がスライド体７０のスライド方向に直交するように形成されている。スライド体７０には、挿入穴８８および一対の係合穴９０，９０の両方に直交して案内穴８７が形成されており、この案内穴８７の内側に、ケース本体７１の変位規制部７４が配置されている。スライド体７０は、案内穴８７が変位規制部７４で案内される。
【００５５】
一対の係合穴９０，９０には、線状部材６２の一対の係合部６７，６７が嵌合される。具体的に、線状部材６２は、一対の係合部６７，６７を相互近接方向に移動させるように弾性変形させられた状態で、一対の係合部６７，６７および一対の延出部６６，６６が挿入穴８８の内側に配置され、この状態で弾性変形が解除されると、一対の係合部６７，６７が一対の係合穴９０，９０に嵌合することになる。この状態では、線状部材６２は、変形させられない限り移動不可となるようにスライド体７０の頭部８５に保持されることになる。
【００５６】
また、線状部材６２は、この状態から一対の係合部６７，６７を相互近接方向に移動させるように弾性変形させられると、一対の係合穴９０，９０から一対の係合部６７，６７が抜けることになって、スライド体７０の頭部８５から取り外し可能となる。つまり、線状部材６２は、両端の一対の係合部６７，６７が近接方向に移動させられることでスライド体７０に対し着脱される。
【００５７】
スライド体７０は、頭部８５をスライド規制部７２に近接させる図６（ａ）に示す所定のロック位置にあると、一対の係合穴９０，９０のスライド方向の位置を、案内穴８７の内側にあるケース本体７１の変位規制部７４に重ね合わせることになる。よって、このとき、スライド体７０の一対の係合穴９０，９０に一対の係合部６７，６７を嵌合させた状態にある線状部材６２は、一対の延出部６６，６６の間および一対の係合部６７，６７の間にケース本体７１の変位規制部７４が位置することになる。これにより、線状部材６２は、図７（ａ）にも示すように、変位規制部７４に当接して一対の係合部６７，６７および一対の延出部６６，６６の相互近接方向への移動が規制されることになる。
【００５８】
よって、スライド体７０が奥側のロック位置にあるとき、連結部材本体６３はスライド体７０に装着された線状部材６２を着脱不可にロックすることになり、しかも、線状部材６２の両端部を同時に収容した状態で着脱不可にロックする。その際に、ケース６９の変位規制部７４が、線状部材６２の両端の一対の係合部６７，６７の間に配置されてこれら係合部６７，６７の近接方向移動を規制する。
【００５９】
スライド体７０は、頭部８５をスライド規制部７２から離間させる図６（ｂ）に示す所定のロック解除位置にあると、スライド方向における一対の係合穴９０，９０の位置をケース本体７１の変位規制部７４よりも外側にずらすことになる。よって、この状態では、図７（ｂ）にも示すように、一対の係合部６７，６７が変位規制部７４から離間して相互近接方向への移動が許容されることになり、図６（ｂ）に示すスライド体７０の一対の係合穴９０，９０から一対の係合部６７，６７を抜いて挿入穴８８から線状部材６２を抜くこと、並びに、挿入穴８８に挿入された線状部材６２の一対の係合部６７，６７をスライド体７０の一対の係合穴９０，９０に嵌合させることが可能となる。
【００６０】
スライド体７０の胴部８６には、スライド方向に沿って鍵溝９１が形成されており、スライド体７０が図６（ａ）に示すロック位置にあるとき、三カ所の収容穴７８のそれぞれと対向可能な位置に三カ所の保持穴９２が形成されている。三カ所の保持穴９２は、スライド体７０のスライド方向に直交しており、それぞれの内部には、長さの異なる金属製の三つの駒９５が移動可能に配置されている。スライド体７０がロック位置にあるとき、三つの駒９５はそれぞれバネ８２の付勢力でロック部材８３により押圧されて保持穴９２の底部に当接している。このとき、スライド体７０は、三つのロック部材８３にスライド方向において当接してスライドが規制される。つまり、ロック部材８３を含むスライド規制部７２は、変位規制部７４が線状部材６２の両端部の近接方向移動を規制するロック位置でスライド体７０のスライドを規制する。なお、図６（ｂ）に示すように、三つのロック部材８３がバネ８２の付勢力に抗して移動して、それぞれのバネ８２とは反対側の端部位置を、スライド体７０の胴部８６と規制部本体７６との境界位置に一致させると、スライド体７０のスライドが可能となる。
【００６１】
連結部材４１には、一対一で保持する鍵１０を他の鍵１０と識別するための個別の連結部材識別番号が記憶された図５に示すＩＣタグ１００が上面に貼着されている。ここで、重要物管理装置１においては、鍵１０に対して割り当てられた鍵識別番号と、これに連結される鍵ホルダ１１の着脱部材４０に対して割り当てられた着脱部材識別番号と、この着脱部材４０と同じ鍵ホルダ１１を構成する連結部材４１に対して割り当てられた連結部材識別番号と、この着脱部材４０が着脱される鍵保持部３１に対して割り当てられた保持部識別番号とを共通の番号としている。以下の説明では、この共通の識別番号を鍵類識別番号とする。この鍵類識別番号は、鍵ホルダ１１のＩＣタグ４３およびＩＣタグ１００に記憶されている。
【００６２】
鍵保持部３１に設けられたＩＣタグリーダ５２は、ＩＣタグ４３と通信状態にあってＩＣタグ４３に記憶されている鍵類識別番号を読み込む状態から、ＩＣタグ４３と通信不可な状態となって鍵類識別番号を読み込まない状態となると、この鍵類識別番号の鍵１０および鍵ホルダ１１の持ち出しを検出する。また、鍵保持部３１に設けられたＩＣタグリーダ５２は、ＩＣタグ４３と通信不可な状態にあってＩＣタグ４３に記憶されている鍵類識別番号を読み込まない状態から、ＩＣタグ４３と通信可能な状態となって鍵類識別番号を読み込む状態となると、この鍵類識別番号の鍵１０および鍵ホルダ１１の返却を検出する。装置本体１２は、鍵保持部３１に装着された鍵ホルダ１１のＩＣタグ４３の鍵類識別番号を読み取るＩＣタグリーダ５２を有している。
【００６３】
図１に示す装置本体１２の収納部３４には、図６に示す連結部材本体６３のスライド規制部７２による線状部材６２のロックを解除する解除具１０１が収納されている。この解除具１０１は、収納部３４の奥側に固定される基板部１０２と、基板部１０２から収納部３４内に延出する延出板部１０３とを有しており、延出板部１０３には、所定の凹凸状の鍵山部１０４と、鍵山部１０４より基板部１０２側の押圧突起１０５とが形成されている。
【００６４】
収納部３４には、連結部材本体６３の線状部材６２とは反対側が挿入される。すると、収納部３４の内周面で案内される連結部材本体６３は、そのスライド体７０の鍵溝９１が解除具１０１の延出板部１０３と位置を合わせることになり、鍵溝９１に延出板部１０３を入り込ませる。スライド体７０が解除具１０１の押圧突起１０５に当接する位置で、凹凸状の鍵山部１０４が三つの駒９５を所定位置に移動させて、スライド規制部７２の三つのロック部材８３のそれぞれのバネ８２とは反対側の端部位置を、図６（ｂ）に示すようにスライド体７０の胴部８６と規制部本体７６との境界位置に一致させることになる。
【００６５】
よって、この状態では、スライド体７０が三つのロック部材８３にスライド方向において当接することはなく、ケース６９に対しスライド可能となる。このため、連結部材本体６３をさらに収納部３４の奥側まで挿入すると、図６（ｂ）に示すように、解除具１０１に当接して停止させられているスライド体７０に対してケース６９が移動してスライド体７０がケース６９に対して所定のロック解除位置まで相対移動する。その結果、線状部材６２が変位規制部７４から離れてスライド体７０から取り外し可能となる。このようにして、連結部材本体６３から取り外された線状部材６２に、着脱部材４０が貫通穴４２において保持されたり、鍵１０が貫通穴６０において保持されたり、着脱部材４０が取り外されたり、鍵１０が取り外されたりする。ここで、解除具１０１以外の部材が鍵溝９１に挿入されても、スライド規制部７２の三つのロック部材８３のそれぞれのバネ８２とは反対側の端部位置を、スライド体７０の胴部８６と規制部本体７６との境界位置に一致させることは極めて困難であり、よって、不正なロック解除を規制する。
【００６６】
つまり、解除具１０１は、連結部材本体６３のケース６９に挿入されてスライド規制部７２によるスライド体７０のケース６９に対するスライド規制を解除するとともにスライド体７０を押圧してスライドさせることになり、その結果、スライド体７０に装着された線状部材６２の両端部を変位規制部７４から離間させる。
【００６７】
また、この状態から、連結部材本体６３を収納部３４から引き抜くと、その初期は、スライド体７０が解除具１０１の鍵山部１０４に嵌合する三つの駒９５とともに留まり、ケース６９が移動する。ケース６９がスライド体７０に対し、スライド規制部７２の三カ所の収容穴７８の位置を三つの駒９５の位置に合わせるロック位置になると、三つの駒９５の上下移動が可能となり、スライド体７０が解除具１０１に対しスライド可能となって、解除具１０１から離れる。これにより、図６（ａ）に示すように三つの駒９５が三カ所の保持穴９２の底部に移動し、三つのロック部材８３がスライド体７０をケース６９に対しロックする。その結果、スライド体７０に保持された線状部材６２の一対の係合部６７，６７の間に変位規制部７４が配置されることになって、線状部材６２が取り外し不可となる。
【００６８】
つまり、解除具１０１は、連結部材本体６３のケース６９から抜かれると、スライド体７０に装着された線状部材６２の両端部の間に変位規制部７４を配置するとともに、スライド規制部７２によりスライド体７０のケース６９に対するスライド規制を行わせることになる。
【００６９】
収納部３４の天井面には、ＩＣタグリーダ１０７が設けられており、このＩＣタグリーダ１０７は、図６（ｂ）に示すように収納部３４内に挿入された連結部材４１のＩＣタグ１００と通信可能でありＩＣタグ１００に記憶された鍵類識別番号を読み取る。
【００７０】
図１に示すように、収納部３４には開閉扉１１０が設けられている。装置本体１２には、開閉扉１１０を閉状態でロックおよびロック解除する電磁駆動式の図３に示す扉ロック機構１１１と、開閉扉１１０が閉状態にあるか否かを検出する閉検出センサ１１２と、扉ロック機構１１１のロックを解除する際に押圧されるものであって点灯および点滅可能な表示ランプ１１３が一体に設けられた操作ボタン１１４と、が設けられている。
【００７１】
装置本体１２は、上記各部を制御する制御部１１５と、制御部１１５とデータのやり取りが可能なＲＡＭやＨＤＤ等からなる記憶部１１６とを有している。
【００７２】
記憶部１１６には、重要物管理装置１を使用可能な担当者識別番号および使用時に入力される暗証番号が記憶されており、また、それぞれの担当者識別番号について、モード切替（後述）の許可の有無と、使用可能な鍵１０、これに連結される鍵ホルダ１１およびこれを保持する鍵保持部３１の鍵類識別番号とが関連付けされて記憶されている。なお、重要物管理装置１を使用可能な担当者識別番号については、一つまたは複数、さらにはすべての鍵類識別番号の鍵１０を使用可能としても良い。
【００７３】
また、記憶部１１６には、それぞれの担当者識別番号について、使用可能なＵＳＢメモリ２０１と、これに連結されるメモリホルダ２０２と、これらを保持するメモリ保持部２０５およびデータアクセス部２０９を含むメモリ管理部２１１とに共通のメモリ類識別番号が関連付けされて記憶されている。なお、重要物管理装置１を使用可能な担当者識別番号については、一つまたは複数、さらにはすべてのメモリ類識別番号のＵＳＢメモリ２０１を使用可能としても良い。
【００７４】
つまり、担当者の職務範囲や権限に応じてモード切替の許可の有無が決められるため、担当者毎にモード切替の許可の有無が記憶されている。また、担当者の職務範囲や権限に応じて使用可能な鍵１０が異なるため、担当者毎に鍵１０の持ち出しが可能な鍵保持部３１が決められており、この関係が記憶されている。さらに、担当者の職務範囲や権限に応じて、鍵１０の付け替えを行うことができる鍵ホルダ１１が決められており、この関係が記憶されている。加えて、担当者の職務範囲や権限に応じて、使用可能なＵＳＢメモリ２０１が異なるため、担当者毎に、ＵＳＢメモリ２０１の持ち出しが可能なメモリ管理部２１１が決められており、この関係が記憶されている。
【００７５】
記憶部１１６には、各鍵保持部３１の鍵類識別番号に一対一で対応して、保持する鍵１０の用途情報（目的、適用箇所）が関連付けされて記憶されている。つまり、各鍵保持部３１には保持する鍵１０が一対一で決められており、鍵１０にはそれぞれ、金庫の扉開閉用、現金処理機の扉開閉用、現金処理機の現金収納庫の扉開閉用、現金処理機の回収庫の扉開閉用、現金処理機の主電源のオン・オフ切換用等の用途（目的、使用する場所）が決められているため、複数の鍵保持部３１それぞれについての、個別の保持部識別情報と、保持する鍵１０の用途情報とが関連付けされて記憶されている。例えば、記憶部１１６には、図８に一例を示すように、鍵類識別番号の「００１」とその用途情報としての「キンコ  トビラ」とが関連付けされて記憶されており、鍵類識別番号の「００２」とその用途情報としての「ＡＴＭ１ゴウキ  トビラ」とが関連付けされて記憶されており、鍵類識別番号の「００３」とその用途情報としての「ＡＴＭ１ゴウキ  シュウノウコＡ  カギ」とが関連付けされて記憶されており、鍵類識別番号の「００４」とその用途情報としての「ＡＴＭ１ゴウキ  カイシュウコ  カギ」とが関連付けされて記憶されている。
【００７６】
重要物管理装置１は、持出・返却モード、鍵交換モード、新規登録モード、およびログ出力モードでの使用が可能となっており、これらのモードの切り替えは、モード切替の許可有の担当者識別番号をＩＤカード２３から読み取った場合にのみ可能となる。モード切替の許可無の担当者識別番号をＩＤカード２３から読み取った場合、制御部１１５は、以下の持出・返却モードを自動的に選択し、モード切替の許可有の担当者識別番号をＩＤカード２３から読み取った場合、表示部２２へモード選択画面を表示させる。この表示は、例えば「１．持出・返却モード  ２．鍵交換モード  ３．新規登録モード  ４．ログ出力モード」といった表示となり、この場合、操作者は、操作部２１の操作キー２１ａの数字入力でモードを選択する。制御部１１５は、選択されたモードを実行する。
【００７７】
「持出・返却モード」
持出・返却モードについて説明する。カードリーダ２４にＩＤカード２３が走査された後、持出・返却モードが選択され、鍵１０およびＵＳＢメモリ２０１の少なくともいずれか一方の管理許可のために設定された暗証番号が操作部２１に入力される。すると、制御部１１５は、カードリーダ２４で読み取ったＩＤカード２３の担当者識別番号および操作部２１に入力された暗証番号を記憶部１１６に記憶されたデータと照合することで担当者識別番号および暗証番号が持出・返却モードを実行するにあたって適正であるか否かを判定する。適正である場合に、制御部１１５は、持出・返却モードでの処理を開始し、まず、カバーロック機構３５を駆動してカバー１６のロックを解除する。
【００７８】
それとともに、制御部１１５は、この担当者識別番号に対して鍵１０の使用許可が設定されている場合、この担当者識別番号に対して設定された鍵類識別番号を有する鍵保持部３１をロック解除可能とするべく対応するすべての操作ボタン５１の表示ランプ５０を点滅させる。また、制御部１１５は、この担当者識別番号に対してＵＳＢメモリ２０１の使用許可が設定されている場合、この担当者識別番号に対して設定されたメモリ類識別番号を有するメモリ管理部２１１のメモリ保持部２０５をロック解除可能とするべく対応するすべての操作ボタン５１の表示ランプ５０を点滅させる。このように、操作部２１、カードリーダ２４および制御部１１５が、装置本体１２の使用の認証を行う。
【００７９】
なお、担当者識別番号および暗証番号が適正であって、この担当者識別番号に対して鍵１０の使用許可が設定されている場合に、すべての鍵保持部３１をロック解除可能とする設定としても良い。また、担当者識別番号および暗証番号が適正であって、この担当者識別番号に対してＵＳＢメモリ２０１の使用許可が設定されている場合に、すべてのメモリ保持部２０５をロック解除可能とする設定としても良い。さらに、担当者識別番号および暗証番号が適正であって、この担当者識別番号に対して鍵１０およびＵＳＢメモリ２０１の使用許可が設定されている場合に、すべての鍵保持部３１およびすべてのメモリ保持部２０５をロック解除可能とする設定としても良い。
【００８０】
担当者は、ロックが解除されたカバー１６を開き、表示ランプ５０が点滅している鍵保持部３１がある場合、表示ランプ５０が点滅している鍵保持部３１の中から所望の鍵１０の付いた鍵ホルダ１１が保持された鍵保持部３１の操作ボタン５１を、保持部識別表記部５３に表記された鍵類識別番号の識別を視認して押すことになる（一つでも良いし複数でも良い）。つまり、複数の鍵保持部３１のそれぞれに設けられた操作ボタン５１は、持出・返却モードが設定されている場合に、複数の鍵保持部３１の中からいずれかを選択する選択指定を受け付ける。なお、各鍵保持部３１にそれぞれ設けられた保持部識別表記部５３を液晶素子とし、それぞれに対応する鍵類識別番号と用途情報とを表示させるようにしても良い。
【００８１】
また、表示ランプ５０が点滅しているメモリ保持部２０５がある場合、担当者は、表示ランプ５０が点滅しているメモリ保持部２０５の中から所望のＵＳＢメモリ２０１の付いたメモリホルダ２０２が保持されたメモリ保持部２０５の操作ボタン５１を、保持部識別表記部５３に表記されたメモリ類識別番号の識別を視認して押すことになる（一つでも良いし複数でも良い）。つまり、複数のメモリ保持部２０５のそれぞれに設けられた操作ボタン５１は、持出・返却モードが設定されている場合に、複数のメモリ保持部２０５の中からいずれかを選択する選択指定を受け付ける。なお、各メモリ保持部２０５にそれぞれ設けられた保持部識別表記部５３を液晶素子とし、それぞれに対応するメモリ類識別番号と用途情報とを表示させるようにしても良い。
【００８２】
そして、表示ランプ５０が点滅した、選択指定の受け付け可能な操作ボタン５１の中から、鍵保持部３１に対して設けられた所望のものが担当者によって押圧操作されると、制御部１１５は、この操作ボタン５１に設けられた表示ランプ５０を点灯させるとともに、この操作ボタン５１が設けられた鍵保持部３１の着脱部材ロック機構４６を駆動しロックを解除して、鍵１０の付いた鍵ホルダ１１の着脱部材４０を取り外し可能とする。つまり、操作ボタン５１が鍵保持部３１の選択指定を受け付けると、制御部１１５は着脱部材ロック機構４６でこの選択指定された鍵保持部３１のロックを解除する。このようにロック状態が解除され、表示ランプ５０の点灯で持ち出し可能となったことが案内されている鍵保持部３１から、担当者が鍵１０の付いた鍵ホルダ１１を、着脱部材４０を着脱部材装着穴４５から引き抜くことで、持ち出すことになる。なお、操作部２１への鍵類識別番号の入力でも、制御部１１５が、選択指定された鍵保持部３１を認識して、その着脱部材ロック機構４６を駆動しロックを解除するとともにその表示ランプ５０を点滅から点灯に切り替えるようになっている。
【００８３】
鍵１０の付いた鍵ホルダ１１が鍵保持部３１から取り外されて装置本体１２から持ち出されると、制御部１１５は、この鍵保持部３１のＩＣタグリーダ５２が、鍵ホルダ１１の着脱部材４０のＩＣタグ４３と通信不可となることでその持ち出しを検出する。制御部１１５は、持ち出しが検出された表示ランプ５０を点滅状態に戻すとともに、この鍵ホルダ１１の持ち出しに際して読み取ったＩＤカード２３の担当者識別番号と、操作ボタン５１が押圧された鍵保持部３１の鍵類識別番号、つまりこれに保持されていた鍵ホルダ１１および鍵１０の鍵類識別番号と、ＩＣタグリーダ５２が検出した、この鍵保持部３１からの鍵ホルダ１１および鍵１０の持出時刻と、返却時刻（この時点では未返却であるためデータは空欄とされる）とを含む図９（ａ）に示すような持出状況データを記憶部１１６に記憶させる。
【００８４】
図９（ａ）に示す持出状況データの一例においては、「００１」の鍵類識別番号の鍵保持部３１から、「００１」の鍵類識別番号の鍵１０の付いた鍵ホルダ１１を、「７７７」の担当者識別番号の担当者が、「１０：１０」の持出時刻で持ち出し、「１０：２０」の返却時刻で返却したことを表している。つまり、制御部１１５は、ＩＣタグリーダ５２の検出結果である、鍵１０および鍵ホルダ１１の持出時刻および返却時刻を、ＩＣタグリーダ５２の検出対象であるＩＣタグ４３に記憶された鍵類識別番号と関連付けて記憶部１１６に記憶させる。なお、鍵保持部３１において、表示ランプ５０が点滅した以外の操作ボタン５１が操作されても、制御部１１５は、この操作ボタン５１が設けられた鍵保持部３１のロック状態を解除することはない。
【００８５】
そして、制御部１１５は、鍵１０の付いた鍵ホルダ１１が、装置本体１２から持ち出されるたびに、記憶部１１６に、上記した持出状況データを、持ち出し時間順に時系列的に並べて記憶させ、記憶用ログデータを作成する。
【００８６】
また、表示ランプ５０が点滅した、選択指定の受け付け可能な操作ボタン５１の中から、メモリ管理部２１１に対して設けられた所望のものが担当者によって押圧操作されると、制御部１１５は、この操作ボタン５１に設けられた表示ランプ５０を点灯させるとともに、この操作ボタン５１が設けられたメモリ保持部２０５の着脱部材ロック機構４６を駆動しロックを解除して、ＵＳＢメモリ２０１の付いたメモリホルダ２０２の着脱部材４０を取り外し可能とする。つまり、操作ボタン５１がメモリ管理部２１１の選択指定を受け付けると、制御部１１５は着脱部材ロック機構４６でこの選択指定されたメモリ管理部２１１のメモリ保持部２０５のロックを解除する。このようにロック状態が解除され、表示ランプ５０の点灯で持ち出し可能となったことが案内されているメモリ管理部２１１から、担当者がメモリホルダ２０２の着脱部材４０を着脱部材装着穴４５から引き抜いて、取り外すことになる。その際に、メモリホルダ２０２に連結されているＵＳＢメモリ２０１についても、これをデータアクセス部２０９から取り外すことになる。なお、操作部２１へのメモリ類識別番号の入力でも、制御部１１５が、選択指定されたメモリ管理部２１１を認識して、その着脱部材ロック機構４６を駆動しロックを解除するとともにその表示ランプ５０を点滅から点灯に切り替えるようになっている。
【００８７】
ＵＳＢメモリ２０１およびこれに連結されているメモリホルダ２０２が、メモリ管理部２１１から取り外されて装置本体１２から持ち出されると、制御部１１５は、このメモリ管理部２１１のメモリ保持部２０５のＩＣタグリーダ５２が、メモリホルダ２０２の着脱部材４０のＩＣタグ４３と通信不可となり、このメモリ管理部２１１のデータアクセス部２０９がＵＳＢメモリ２０１に対し通信不可となることで、その持ち出しを検出する。制御部１１５は、持ち出しが検出された表示ランプ５０を点滅状態に戻すとともに、このＵＳＢメモリ２０１の持ち出しに際して読み取ったＩＤカード２３の担当者識別番号と、操作ボタン５１が押圧されたメモリ管理部２１１のメモリ類識別番号、つまりこれに保持されていたＵＳＢメモリ２０１およびメモリホルダ２０２のメモリ類識別番号と、ＩＣタグリーダ５２が検出した、このメモリ管理部２１１からのメモリホルダ２０２およびＵＳＢメモリ２０１の持出時刻と、返却時刻（この時点では未返却であるためデータは空欄とされる）とを含む図９（ｂ）に示すような持出状況データを記憶部１１６に記憶させる。
【００８８】
図９（ｂ）に示す持出状況データの一例においては、「０２６」のメモリ類識別番号のメモリ管理部２１１から、「０２６」のメモリ類識別番号のＵＳＢメモリ２０１およびメモリホルダ２０２を、「７８９」の担当者識別番号の担当者が、「１０：１８」の持出時刻で持ち出し、「１０：２８」の返却時刻で返却したことを表している。つまり、制御部１１５は、ＩＣタグリーダ５２およびデータアクセス部２０９の検出結果である、ＵＳＢメモリ２０１およびメモリホルダ２０２の持出時刻および返却時刻を、ＩＣタグリーダ５２およびデータアクセス部２０９の検出対象であるＩＣタグ４３およびＵＳＢメモリ２０１に記憶されたメモリ類識別番号と関連付けて記憶部１１６に記憶させる。なお、メモリ管理部２１１において、表示ランプ５０が点滅した以外の操作ボタン５１が操作されても、制御部１１５は、この操作ボタン５１が設けられたメモリ管理部２１１のロック状態を解除することはない。
【００８９】
そして、制御部１１５は、ＵＳＢメモリ２０１およびこれに連結されているメモリホルダ２０２が、装置本体１２から持ち出されるたびに、記憶部１１６に、上記した持出状況データを、持ち出し時間順に時系列的に並べて記憶させ、記憶用ログデータを作成する。
【００９０】
鍵１０および鍵ホルダ１１と、ＵＳＢメモリ２０１およびメモリホルダ２０２とのうちの少なくともいずれか一方の装置本体１２から持ち出し後（後述する返却後も同様）、担当者はカバー１６を閉じることになる。すると、カバー１６の係合突起部１８が、装置主体部１４の係合挿入穴３２に進入するとともに、カバー１６の検出突起部１９が、装置主体部１４の検出挿入穴３３に進入することになり、この検出突起部１９を閉検出センサ３７が検出すると、制御部１１５は、カバーロック機構３５でカバー１６を閉状態にロックして持出・返却モードでの処理を終了する。なお、検出突起部１９を閉検出センサ３７が検出した状態で、操作部２１にロック操作が入力されると、カバーロック機構３５がカバー１６を閉状態でロックするようにしても良い。
【００９１】
制御部１１５が、持出・返却モードでの処理を開始し、カバーロック機構３５を駆動してカバー１６のロックを解除すると、鍵１０の付いた鍵ホルダ１１の返却時には、担当者は、ロックが解除されたカバー１６を開き、表示ランプ５０が点滅している鍵保持部３１の中から、鍵１０の付いた鍵ホルダ１１の着脱部材４０の着脱部材識別表記部４４に表記された鍵類識別番号と同じ鍵類識別番号が表記された保持部識別表記部５３を有する鍵保持部３１の着脱部材装着穴４５に、鍵ホルダ１１の着脱部材４０を挿入する（一つでも良いし複数でも良い）。すると、制御部１１５は、ＩＣタグリーダ５２でこの着脱部材４０のＩＣタグ４３から鍵類識別番号を読み出し、この鍵類識別番号がこの鍵保持部３１の鍵類識別番号に一致しているか否かを確認する。これらの鍵類識別番号が一致している場合のみ、鍵１０の付いた鍵ホルダ１１の返却を検出して、着脱部材ロック機構４６でこの鍵ホルダ１１の着脱部材４０をロック状態とし、表示ランプ５０を消灯させる。それとともに、制御部１１５は、記憶部１１６に記憶されているこの鍵類識別番号を有する最新の持出状況データの返却時刻に、この鍵類識別番号の鍵１０の付いた鍵ホルダ１１の着脱部材４０を検出した時刻を書き込む。
【００９２】
他方、制御部１１５は、鍵保持部３１および鍵１０の鍵類識別番号が一致しない場合に着脱部材ロック機構４６による鍵ホルダ１１のロックをせず、この鍵保持部３１の操作ボタン５１の表示ランプ５０を点灯させ、音声出力部２６による報知音声および表示部２２へのアラーム表示（正しい操作を誘導する表示を含む）等を発生させる。
【００９３】
また、ＵＳＢメモリ２０１およびこれに連結されているメモリホルダ２０２の返却時に、担当者は、ロックが解除されたカバー１６を開き、表示ランプ５０が点滅しているメモリ管理部２１１の中から、メモリホルダ２０２の着脱部材４０の着脱部材識別表記部４４に表記されたメモリ類識別番号と同じメモリ類識別番号が表記された保持部識別表記部５３を有するメモリ管理部２１１の着脱部材装着穴４５に、この着脱部材４０を挿入するとともに、同じメモリ管理部２１１のデータアクセス部２０９にＵＳＢメモリ２０１を差し込む（一組でも良いし複数組でも良い）。
【００９４】
すると、制御部１１５は、ＩＣタグリーダ５２でこの着脱部材４０のＩＣタグ４３からメモリ類識別番号を読み出して、このメモリ類識別番号がこのメモリ管理部２１１のメモリ類識別番号に一致しているか否かを判断し、データアクセス部２０９でＵＳＢメスコネクタ２０８からメモリ類識別番号を読み出して、このメモリ類識別番号がこのメモリ管理部２１１のメモリ類識別番号に一致しているか否かを判断するメモリ返却判断を行う。制御部１１５は、このメモリ返却判断で、メモリ管理部２１１のメモリ類識別番号と、ＩＣタグ４３から読み出したメモリ類識別番号と、データアクセス部２０９がＵＳＢメモリ２０１から読み出したメモリ類識別番号とが一致している場合のみ、ＵＳＢメモリ２０１およびこれに連結されているメモリホルダ２０２の適正な返却を検出して、着脱部材ロック機構４６でこのメモリホルダ２０２の着脱部材４０をロック状態とする。
【００９５】
それとともに、制御部１１５は、記憶部１１６に記憶されているこのメモリ類識別番号を有する最新の持出状況データの返却時刻に、このＵＳＢメモリ２０１をデータアクセス部２０９で検出し、且つ、これが付いたメモリホルダ２０２のＩＣタグ４３をＩＣタグリーダ５２で検出した状態となった時刻を書き込む。
【００９６】
加えて、制御部１１５は、このＵＳＢメモリ２０１に通信可能に接続されているデータアクセス部２０９によって、このＵＳＢメモリ２０１内の記憶データのセキュリティ管理処理を行う。すなわち、制御部１１５は、記憶部１１６に記憶されているセキュリティ管理処理用のウイルスチェックソフトウエアで、このＵＳＢメモリ２０１内の電子データのウイルスの有無をチェックするウイルスチェックを行う。
【００９７】
そして、ＵＳＢメモリ２０１内に記憶された電子データにウイルスがなければ、制御部１１５は、セキュリティ管理処理を終了し、持出・返却モードでの処理を終了する。他方、ＵＳＢメモリ２０１内に記憶された電子データにウイルスがあると、制御部１１５は、音声出力部２６への報知音声および表示部２２へのアラーム表示（ウイルス感染の表示を含む）等を発生させるとともに、記憶部１１６に記憶されているこのメモリ類識別番号を有する最新の持出状況データの返却時刻への、ＵＳＢメモリ２０１およびメモリホルダ２０２を検出した時刻の書き込みに加えて、ウイルス検出についての情報を記憶する。
【００９８】
加えて、制御部１１５は、記憶部１１６に記憶されているセキュリティ管理処理用のウイルス駆除ソフトウエアで、このＵＳＢメモリ２０１内に記憶された電子データのウイルスを駆除する。そして、記憶部１１６に記憶されているこのメモリ類識別番号を有する最新の持出状況データの返却時刻への、ＵＳＢメモリ２０１およびメモリホルダ２０２を検出した時刻の書き込みに加えて、ウイルス除去についての情報をも記憶する。ウイルス駆除ソフトウエアでウイルスが駆除できれば、制御部１１５は、セキュリティ管理処理を終了し、持出・返却モードでの処理を終了する。
【００９９】
他方、ウイルス駆除ソフトウエアでウイルスが駆除できなかった場合、制御部１１５は、このＵＳＢメモリ２０１が装着されているメモリ管理部２１１の操作ボタン５１の表示ランプ５０を点滅させ、音声出力部２６による報知音声および表示部２２へのアラーム表示（ＵＳＢメモリ２０１の使用不可の表示を含む）等を発生させるとともに、今回の持出・返却モードの開始時にカードリーダ２４で読み取ったＩＤカード２３の担当者識別番号が、ウイルスに感染したＵＳＢメモリ２０１の取り扱いが許可されている担当者識別番号に含まれているか否かを判定する。読み取ったＩＤカード２３の担当者識別番号が、ウイルスに感染したＵＳＢメモリ２０１の取り扱いが許可されている担当者識別番号に含まれている場合、表示ランプ５０が点滅している操作ボタン５１が押圧操作されると、制御部１１５は、このメモリ管理部２１１の着脱部材ロック機構４６で着脱部材４０のロック状態を解除するとともに、この操作ボタン５１の表示ランプ５０を点灯させる。これにより、担当者がウイルスに感染したＵＳＢメモリ２０１を取り外す。
【０１００】
今回の持出・返却モードの開始時にカードリーダ２４で読み取ったＩＤカード２３の担当者識別番号が、ウイルスに感染したＵＳＢメモリ２０１の取り扱いが許可されている担当者識別番号に含まれていなければ、ウイルスに感染したＵＳＢメモリ２０１の取り扱いが許可されている担当者によりＩＤカード２３をカードリーダ２４で読み取らせるように促す報知音声およびアラーム表示を音声出力部２６および表示部２２に出力させる。ウイルスに感染したＵＳＢメモリ２０１の取り扱いが許可されている担当者のＩＤカード２３をカードリーダ２４で読み取らない限り、表示ランプ５０が点滅している操作ボタン５１が押圧操作されても、制御部１１５は、このメモリ保持部２０５の着脱部材ロック機構４６で着脱部材４０のロック状態を解除することはない。
【０１０１】
ウイルスに感染したＵＳＢメモリ２０１の取り扱いが許可されている担当者のＩＤカード２３をカードリーダ２４で読み取ると、表示ランプ５０が点滅している操作ボタン５１が押圧操作されれば、制御部１１５は、このメモリ保持部２０５の着脱部材ロック機構４６で着脱部材４０のロック状態を解除するとともに、この操作ボタン５１の表示ランプ５０を点灯させる。これにより、担当者がウイルスに感染したＵＳＢメモリ２０１を取り外す。
【０１０２】
ウイルスに感染したＵＳＢメモリ２０１およびこれに連結されているメモリホルダ２０２が装置本体１２から持ち出されると、制御部１１５は、このメモリ管理部２１１のＩＣタグリーダ５２が、メモリホルダ２０２のＩＣタグ４３に対し通信不可となり、このメモリ管理部２１１のデータアクセス部２０９が、ＵＳＢメモリ２０１に対し通信不可となることで、その持ち出しを検出する。制御部１１５は、持ち出しが検出されたメモリ管理部２１１の表示ランプ５０を点滅状態に戻すとともに、このＵＳＢメモリ２０１の持ち出しに際して読み取ったＩＤカード２３の担当者識別番号と、操作ボタン５１が押圧されたメモリ管理部２１１のメモリ類識別番号と、操作ボタン５１が押されたメモリ管理部２１１からのＵＳＢメモリ２０１およびメモリホルダ２０２の持出時刻とを含む持出状況データを記憶部１１６に記憶させて、セキュリティ管理処理を終了し、持出・返却モードでの処理を終了する。
【０１０３】
以上のように、重要物管理装置１は、ＵＳＢメモリ２０１を誰がいつ使用（持ち出し・返却）したのかの履歴管理をする。
【０１０４】
ここで、上記では、セキュリティ管理処理を、上記したＵＳＢメモリ２０１およびこれに連結されているメモリホルダ２０２の返却時に行うようにしている。このような返却以外にも、ＵＳＢメモリ２０１およびこれに連結されているメモリホルダ２０２の取り出し時に、取り出し直前に行ってウイルス感染がなければ取り外し可能としたり、日時予約で行ったりすることが可能である。また、ＵＳＢメモリ２０１およびこれに連結されているメモリホルダ２０２の返却時、取り出し時、日時予約のうちのいずれで行うかを選択設定可能としてもよい。
【０１０５】
また、上記では、ＵＳＢメモリ２０１内に記憶された電子データのウイルスチェックを行い、ウイルスが検出された場合は、ウイルス駆除を行い、ウイルス駆除ができない場合に、許可者以外に対し、メモリ管理部２１１のロック解除を規制するようにしている。これ以外にも、ウイルスが検出された場合に、ウイルス駆除を行わずに音声出力部２６および表示部２２で警告したり、許可者以外に対してもメモリ管理部２１１によるロック解除を許容したりすることができる。また、ウイルス駆除と、ロック解除の規制と、音声出力部２６および表示部２２による警告との中から一つまたは複数の組み合わせを選択設定可能としても良い。
【０１０６】
記憶部１１６に記憶されているセキュリティ管理処理用のウイルスチェックソフトウエアおよびウイルス駆除ソフトウエアは、重要物管理装置１の装置本体１２が、通信接続部２２５に通信回線が接続されてネットワークと通信可能な状態にあると、制御部１１５の制御により、適宜のタイミングでのネットワーク通信で、新しいソフトウエアに更新されるようになっている。
【０１０７】
制御部１１５は、上記メモリ返却判断で、メモリ管理部２１１のメモリ類識別番号と、このメモリ管理部２１１のＩＣタグリーダ５２がメモリホルダ２０２のＩＣタグ４３から読み出したメモリ類識別番号と、このメモリ管理部２１１のデータアクセス部２０９でＵＳＢメモリ２０１から読み出したメモリ類識別番号とが一致している場合以外は、着脱部材ロック機構４６によるメモリホルダ２０２の着脱部材４０のロックをせず、このメモリ管理部２１１の操作ボタン５１の表示ランプ５０を点灯させ、音声出力部２６による報知音声および表示部２２へのアラーム表示（正しい操作を誘導する表示を含む）等を発生させる。
【０１０８】
ここで、持出・返却モードでの処理中、セキュリティ管理処理終了後に、制御部１１５が、ＵＳＢメモリ２０１内のデータの有無の状況に応じた制御を行う。すなわち、ＵＳＢメモリ２０１内にデータがある場合、制御部１１５は、このデータがデータサーバへ転送可能なものであれば、このデータを通信接続部２２５から通信回線を介してデータサーバへ転送するか否かの操作部２１への選択操作を促す表示を表示部２２に表示させる。これに対し、データサーバへデータを転送する旨の選択操作が操作部２１へ入力されると、制御部１１５は、このデータを通信接続部２２５からデータサーバへ転送しデータサーバに記憶させる。このデータサーバへ転送するデータには、例えば、保守作業で装置から採取したログデータなどがある。これにより、重要物管理装置１自体が、通信端末として機能する。
【０１０９】
そして、データがデータサーバへ転送不可な場合と、データがデータサーバへ転送可能であってデータサーバへ転送しない旨の選択操作が操作部２１へ入力された場合と、データがデータサーバへ転送可能であってデータサーバへ転送する旨の選択操作が操作部２１へ入力されてＵＳＢメモリ２０１内のデータをデータサーバへ転送した場合とについて、制御部１１５は、以下の第１〜第３の残データ処理の中から初期設定で選択された残データ処理を行う。
【０１１０】
なお、ＵＳＢメモリ２０１内にデータがある場合、制御部１１５は、ＵＳＢメモリ２０１内のデータをデータサーバへ一切転送することなく、以下の第１，第２の残データ処理の中から初期設定で選択された残データ処理を行う設定にしても良い。ＵＳＢメモリ２０１内のデータをデータサーバへ転送する場合、当該ＵＳＢメモリ２０１と重要物管理装置１の全体が一つの通信端末として機能できるため、ＵＳＢメモリ２０１内のデータを別途ＰＣなどで転送させる手間が省け、ＵＳＢメモリ２０１の返却と同時にデータ転送が可能となるため作業効率が良い。
【０１１１】
第１の残データ処理では、セキュリティ管理処理終了後に、ＵＳＢメモリ２０１内に消去可能な残データがある場合に、制御部１１５は、ＵＳＢメモリ２０１内に残っている残データのファイル名を表示部２２上に表示させ、操作者が確認後、操作部２１へ選択操作を行うと、制御部１１５が当該ＵＳＢメモリ２０１の残データのうちの選択された残データの消去を行って、持出・返却モードでの処理を終了する。すなわち、ＵＳＢメモリ２０１をデータが格納された状態で装置本体１２に返却後、格納データの一部または全部をＵＳＢメモリ２０１で保管する。第１の残データ処理では、操作者が、残データを一切消去しない残データ全残操作を行うと、制御部１１５が当該ＵＳＢメモリ２０１の残データの消去を一切行わずに、持出・返却モードでの処理を終了する。また、操作者が、残データを全消去する初期化操作を行うと、制御部１１５が当該ＵＳＢメモリ２０１を初期化して持出・返却モードでの処理を終了する。よって、重要物管理装置１は、初期化をしたＵＳＢメモリ２０１と、データが保存されたままのＵＳＢメモリ２０１との、２種類のＵＳＢメモリ２０１を管理することになる。制御部１１５は、このように、再利用するデータが格納されたＵＳＢメモリ２０１が管理されているメモリ管理部２１１を識別可能となるように表示部２２に表示させるようになっている。
【０１１２】
第１の残データ処理は、例えば、次回再利用したいデータ（例えば、複数の装置で共用される更新プログラム）をＵＳＢメモリ２０１に残しておきたい場合に便利な機能となる。すなわち、第１の残データ処理設定では、データを保存した状態のＵＳＢメモリ２０１を装置本体１２で保管する。この場合、次回、このデータを保存しているＵＳＢメモリ２０１を誤って他の者が取り出しを行わないように、データ保存のＵＳＢメモリ２０１に関しては、取り出し時に表示ランプ５０の色を変えて識別可能とし、カードリーダ２４がＩＤカード２３から、このＵＳＢメモリ２０１を前回返却した担当者識別番号を読み取った場合のみ、着脱部材ロック機構４６で着脱部材４０のロック状態を解除するようにして、取り出し制限を掛けるように構成しても良い。
【０１１３】
第１の残データ処理では、重要物管理装置１は、初期化をしたＵＳＢメモリ２０１と、データが保存されたままのＵＳＢメモリ２０１との、２種類のＵＳＢメモリ２０１を管理することでき、データが保存されているＵＳＢメモリ２０１と、データが保存されていないＵＳＢメモリ２０１とは、表示ランプ２２３の色を異ならせることにより識別が可能となっている。これに加えて、表示ランプ５０の色を変えても良い。
【０１１４】
第２の残データ処理では、セキュリティ管理処理終了後に、ＵＳＢメモリ２０１内に残データがある場合に、制御部１１５は、ＵＳＢメモリ２０１内に残っている残データの消去を自動的に行って、持出・返却モードでの処理を終了する。この場合は、ＵＳＢメモリ２０１内に残留するデータが、一律に消去され、ＵＳＢメモリ２０１が初期化されることとなるが、操作者にとっては、操作を選択させる手順が省けるというメリットがある。
【０１１５】
第１，第２の残データ処理以外に、ＵＳＢメモリ２０１の消去可能な残データをすべて消去した状態で返却された場合のみ、持出・返却モードでの処理を終了するようにしても良い。すなわち、セキュリティ管理処理終了後に、ＵＳＢメモリ２０１内に残データがある場合に、制御部１１５は、操作ボタン５１の表示ランプ５０を点滅させ、音声出力部２６による報知音声および表示部２２へのアラーム表示（ＵＳＢメモリ２０１に残データが有る旨の表示を含む）等を発生させる。この状態で、表示ランプ５０が点滅している操作ボタン５１が担当者によって押圧操作されると、制御部１１５は、この操作ボタン５１を含むメモリ管理部２１１の着脱部材ロック機構４６のロックを解除するとともに、この操作ボタン５１の表示ランプ５０を点灯させる。これにより、操作者は、残データがあるＵＳＢメモリ２０１を取り外し、別途の管理ＰＣ等で残データを消去する。
【０１１６】
なお、持出・返却モードでの処理の開始時に、カードリーダ２４でＩＤカード２３から読み取った担当者識別番号に対してＵＳＢメモリ２０１の使用許可が設定されている場合に、この担当者識別番号に対して設定されたメモリ類識別番号を有するメモリ管理部２１１のメモリ保持部２０５をロック解除可能とするべく対応するすべての操作ボタン５１の表示ランプ５０を点滅させるとともに、これらメモリ管理部２１１に装着されているＵＳＢメモリ２０１のうちの選択されたもの（一つでも良いし複数でも良い）に対し、取り出し前に、予めデータを通信接続部２２５が通信回線を介してデータサーバから転送してアップロードさせるように構成しても良い。この場合、アップロード完了後にメモリ保持部２０５はロック解除可能になる。これにより、操作者が欲しい（または必要としている）データを重要物管理装置１でＵＳＢメモリ２０１に取り出し前に予め記憶させておくことができる。これにより、例えば、操作者が保守作業に出向く保守サービス員である場合には、当該ＵＳＢメモリ２０１に保守作業に必要なデータを効率良く準備することが可能となる。
【０１１７】
「鍵交換モード」
鍵交換モードについて説明する。カードリーダ２４にＩＤカード２３が走査された後、鍵交換モードが選択され、鍵１０の管理許可のために設定された暗証番号が操作部２１に入力される。すると、制御部１１５は、カードリーダ２４で読み取ったＩＤカード２３の担当者識別番号および操作部２１に入力された暗証番号を記憶部１１６に記憶されたデータと照合することで担当者識別番号および暗証番号が鍵交換モードを実行するにあたって適正であるか否かを判定する。適正である場合、つまり鍵交換モードを実行する特定の権限を付与された担当者識別番号および暗証番号が入力された場合、制御部１１５は、カバーロック機構３５を駆動してカバー１６のロックを解除するとともに、表示部２２に、交換する鍵保持部３１の選択操作を促す画面を表示させるとともに、入力された担当者識別番号に対して登録済みで交換可能の鍵類識別番号を有する鍵保持部３１に対して設けられた操作ボタン５１の表示ランプ５０を点滅させる。担当者は、カバー１６を開き、表示ランプ５０が点滅している操作ボタン５１の中から、交換する所望の鍵保持部３１の操作ボタン５１を押す（一つでも良いし複数でも良い）。
【０１１８】
すると、制御部１１５は、操作ボタン５１が押された鍵保持部３１の鍵類識別番号が選択指定されたことを認識することになり、この操作ボタン５１が設けられた鍵保持部３１の着脱部材ロック機構４６を駆動しロックを解除して、鍵ホルダ１１を取り外し可能とするとともに、この状態を案内するべく、この操作ボタン５１の表示ランプ５０を点滅から点灯に切り替える。このように鍵保持部３１のロック状態が解除されることにより担当者が鍵保持部３１から鍵ホルダ１１を取り外すことになる。なお、操作部２１への鍵類識別番号の入力でも、制御部１１５が、選択指定された鍵保持部３１を認識して、その着脱部材ロック機構４６を駆動しロックを解除するとともに表示ランプ５０を点滅から点灯に切り替えるようになっている。操作ボタン５１あるいは操作部２１で指定された鍵保持部３１に保持された鍵ホルダ１１は、後述するように連結機構６１による鍵１０の連結状態を解除する対象であり、操作ボタン５１の表示ランプ５０は、点滅から点灯に切り替わることで、指定された鍵ホルダ１１を案内する。
【０１１９】
鍵保持部３１から鍵ホルダ１１が取り外されると、制御部１１５は、この鍵保持部３１のＩＣタグリーダ５２が、鍵ホルダ１１のＩＣタグ４３と通信不可となることでその取り外しを検出する。すると、制御部１１５は、この鍵ホルダ１１の取り外しに際して読み取ったＩＤカード２３の担当者識別番号と、操作ボタン５１が押圧された鍵保持部３１の鍵類識別番号と、操作ボタン５１が押された鍵保持部３１からの鍵ホルダ１１の取外時刻と、この鍵ホルダ１１の鍵１０の付替時刻（この時点では付け替え前であるためデータは空欄とされる）と、操作ボタン５１が押された鍵保持部３１への再取付時刻（この時点では再取り付け前であるためデータは空欄とされる）と、を含む付替状況データを記憶部１１６に記憶させる。また、この付替状況データには、収納部３４の解除具１０１の使用が開始された解除具使用開始時刻（この時点では使用前であるためデータは空欄とされる）と、解除具１０１の使用が終了した解除具使用終了時刻（この時点では使用前であるためデータは空欄とされる）とが含まれる。
【０１２０】
図９（ｃ）に示す付替状況データの一例においては、「０２１」の鍵類識別番号の鍵保持部３１から鍵ホルダ１１を、「７１１」の担当者識別番号の担当者が、「１３：１５」の取外時刻で取り外し、「１３：１７」の付替時刻で鍵１０を付け替え、「１３：１８」の時刻で再取り付けを誤り、「１３：１９」の再取付時刻で適正に取り付けたこと、および、「０００」の識別番号の収納部３４に対し、解除具１０１を、「７１１」の担当者識別番号の担当者が、「１３：１６」の解除具使用開始時刻で使用を開始し、「１３：２０」の解除具使用終了時刻で使用を終了したことを表している。つまり、制御部１１５は、ＩＣタグリーダ５２の検出結果である取外時刻および再取付時刻と、ＩＣタグリーダ１０７の検出結果である付替時刻とを鍵類識別番号と関連付けて記憶部１１６に記憶させる。
【０１２１】
そして、制御部１１５は、鍵１０の付け替えが行われるたびに、記憶部１１６に、上記した付替状況データを、時系列的に並べて記憶させ、記憶用ログデータを作成する。
【０１２２】
次に、制御部１１５は、表示部２２に、鍵ホルダ１１が取り外された鍵保持部３１の交換後の鍵１０の用途情報の入力を促す画面を表示させ、用途情報の入力を受け付ける状態となる。担当者は、操作部２１の操作キー２１ａを用いたカナ入力および英字入力等で用途情報を入力し直す。例えば、図８に一例を示すように、鍵類識別番号の「００１」に対する用途情報として、それまでとは変更して「キンコ  トビラ」を入力したり、鍵類識別番号の「００２」に対する用途情報として、それまでとは変更して「ＡＴＭ１ゴウキ  トビラ」を入力したり、鍵類識別番号の「００３」に対する用途情報として、それまでとは変更して「ＡＴＭ１ゴウキ  シュウノウコＡ  カギ」を入力したり、鍵類識別番号の「００４」に対する用途情報として、それまでとは変更して「ＡＴＭ１ゴウキ  カイシュウコ  カギ」を入力したりする。このように入力が行われると、制御部１１５は、この入力時に選択指定された鍵類識別番号に対して、この用途情報を関連付けて記憶部１１６に記憶させる。つまり、制御部１１５は、操作ボタン５１あるいは操作部２１への鍵保持部３１の選択指定を受け付けると、当該選択指定された鍵保持部３１の鍵類識別番号と、当該選択指定に関連して操作部２１によって入力された用途情報とを関連付けて記憶部１１６に記憶させる。
【０１２３】
用途情報の入力が完了した旨の操作入力が操作部２１に入力されると、制御部１１５は、鍵１０の付け替えを促す画面を表示部２２に表示させるとともに、収納部３４に対して設けられた操作ボタン１１４の表示ランプ１１３を点滅させる。これを見て、担当者は、操作ボタン１１４を押圧操作することになる。すると、制御部１１５は、表示ランプ１１３を点滅から点灯に切り替えるとともに、扉ロック機構１１１を駆動して収納部３４の開閉扉１１０のロックを解除する。その後、担当者は、収納部３４の開閉扉１１０を開く。このように、制御部１１５は、ＩＤカード２３の担当者識別番号および入力された暗証番号の認証結果に基づいて解除具１０１へのアクセスを許諾する。なお、開閉扉１１０を開くと、閉検出センサ１１２がこれを検出することになり、その時点で制御部１１５は、その時刻を、上記した付替状況データの解除具１０１の解除具使用開始時刻として記憶部１１６に記憶させる。
【０１２４】
そして、担当者は、上記したように、収納部３４に連結部材４１の連結部材本体６３を挿入し、解除具１０１を鍵溝９１に進入させることで、スライド規制部７２によるスライド体７０の規制を解除した後、スライド体７０をケース６９に対し相対移動させて、ロック解除位置まで移動させる。そして、この状態を維持しながら、線状部材６２を連結部材本体６３から取り外して、線状部材６２から、それまで取り付けられていた古い鍵１０を外して新しい鍵１０を取り付ける付け替えを行う。
【０１２５】
なお、収納部３４に連結部材本体６３を挿入すると、連結部材本体６３に設けられた図６（ｂ）に示すＩＣタグリーダ１０７が連結部材本体６３のＩＣタグ１００から鍵類識別番号を読み取ることになり、制御部１１５は、この鍵類識別番号が、選択指定された鍵保持部３１の鍵類識別番号と一致する場合、その時刻を、この鍵類識別番号における付替状況データの付替時刻として記憶部１１６に記憶させる。鍵類識別番号が一致しない場合は、音声出力部２６による報知音声および表示部２２へのアラーム表示（正しい操作を誘導する表示を含む）等のアラームを発生させ、鍵類識別番号が一致するまで待機する。
【０１２６】
線状部材６２の鍵１０を付け替えると、担当者は、ロック解除位置にあるスライド体７０に線状部材６２を取り付けることになり、その後、連結部材本体６３を収納部３４から引き抜くと解除具１０１がスライド体７０をケース６９に対しロック位置まで移動させてロックした後、抜け出す。
【０１２７】
そして、担当者は、鍵ホルダ１１の着脱部材４０の着脱部材識別表記部４４と同じ表記の保持部識別表記部５３を有する鍵保持部３１の着脱部材装着穴４５に、鍵１０の付け替えが終わった鍵ホルダ１１の着脱部材４０を挿入することになる。すると、鍵保持部３１は、ＩＣタグリーダ５２が着脱部材４０のＩＣタグ４３と通信して鍵類識別番号を読み出すことになり、この鍵類識別番号と、この鍵類識別番号を検出したＩＣタグリーダ５２を有する鍵保持部３１の鍵類識別番号とが一致していれば、着脱部材ロック機構４６で鍵ホルダ１１をロックするとともにこの鍵保持部３１に対して設けられた操作ボタン５１の表示ランプ５０を点滅させる。鍵類識別番号が一致しない場合はロックせずに、音声出力部２６による報知音声および表示部２２へのアラーム表示（正しい操作を誘導する表示を含む）等を発生させ、鍵類識別番号が一致するまで待機する。なお、鍵類識別番号が一致すると、制御部１１５は、その時刻を、上記した付替状況データの再取付時刻として記憶部１１６に記憶させる。
【０１２８】
このような、鍵保持部３１の操作ボタン５１の選択指定のステップ、用途情報の入力のステップ、選択指定された鍵保持部３１の鍵類識別番号および用途情報の関連付け記憶のステップ、鍵ホルダ１１の連結部材４１のＩＣタグ１００からのＩＣタグリーダ１０７による鍵類識別番号の検出および鍵類識別番号の一致確認のステップ、鍵ホルダ１１の着脱部材４０のＩＣタグ４３からのＩＣタグリーダ５２による鍵類識別番号の検出および鍵類識別番号の一致確認のステップを、鍵１０の数分行う。その最中に、記憶部１１６に記憶された基準のステップデータと比較することにより、例えば、閉検出センサ１１２による開閉扉１１０の開検出のステップの前や、鍵ホルダ１１の連結部材４１のＩＣタグ１００からのＩＣタグリーダ１０７による鍵類識別番号の検出のステップの前に、鍵ホルダ１１の着脱部材４０のＩＣタグ４３からのＩＣタグリーダ５２による鍵類識別番号の検出のステップが行われる等、ステップの順序に誤りがあると、制御部１１５は、音声出力部２６による報知音声および表示部２２へのアラーム表示（正しい操作を誘導する表示を含む）等を発生させる。
【０１２９】
鍵１０の付け替えが完了すると、担当者は、収納部３４の開閉扉１１０を閉じる。すると、閉検出センサ１１２がこれを検出することになり、制御部１１５は、扉ロック機構１１１により開閉扉１１０を閉状態でロックするとともに、表示部２２に、カバー１６を閉じる操作を促す表示を行う。すると、担当者は、カバー１６を閉じる。すると、カバー１６の係合突起部１８が、装置主体部１４の係合挿入穴３２に進入するとともに、カバー１６の検出突起部１９が、装置主体部１４の検出挿入穴３３に進入することになり、この検出突起部１９を閉検出センサ３７が検出すると、カバーロック機構３５が自動的にカバー１６を閉状態でロックして鍵交換モードを終了する。この場合も、検出突起部１９を閉検出センサ３７が検出した状態で操作部２１にロック操作が入力されるとカバーロック機構３５がカバー１６を閉状態でロックするようにしても良い。
【０１３０】
なお、閉検出センサ１１２が開閉扉１１０の閉状態を検出すると、制御部１１５は、その時刻を、上記した付替状況データの解除具使用終了時刻として記憶部１１６に記憶させることになる。この場合も、記憶部１１６に記憶された基準のステップデータと比較することにより、例えば、閉検出センサ１１２による開閉扉１１０の開検出のステップの前や、鍵ホルダ１１のＩＣタグ１００からのＩＣタグリーダ１０７による鍵類識別番号の検出のステップの前、さらには鍵ホルダ１１のＩＣタグ４３からのＩＣタグリーダ５２による鍵類識別番号の再検出のステップが行われる前に、閉検出センサ３７が検出突起部１９つまりカバー１６の閉状態を検出する等、ステップの順序に誤りがあると、制御部１１５は、音声出力部２６による報知音声および表示部２２へのアラーム表示（正しい操作を誘導する表示を含む）等を発生させる。
【０１３１】
以上により、制御部１１５は、操作ボタン５１の表示ランプ５０で案内した鍵保持部３１に保持された鍵ホルダ１１が装置本体１２から取り外されるステップと、開閉扉１１０が開状態となり解除具１０１にアクセスされるステップと、当該取り外された鍵ホルダ１１が装置本体１２に再装着されるステップと、ＩＣタグリーダ１０７がＩＣタグ１００から鍵類識別番号を読み取るステップとを確認する。そして、制御部１１５は、ステップの予め記憶部１１６に登録された所定の順序と、ステップの実際の操作の際に進行した順序との一致確認を行い、当該一致確認結果についての報知を行う。
【０１３２】
なお、鍵交換モードにて、交換可能な鍵類識別番号を有する鍵保持部３１のロックを操作ボタン５１で解除可能とする際に、収納部３４の開閉扉１１０のロックを操作ボタン１１４で操作可能とするようにして、鍵１０の付け替え後、対象となる鍵保持部３１の着脱部材装着穴４５に鍵ホルダ１１を挿入しＩＣタグリーダ５２が鍵ホルダ１１のＩＣタグ４３と通信して鍵類識別番号の一致を確認してから、この鍵類識別番号に対応する用途情報の操作部２１への入力を行うようにしても良い。
【０１３３】
「新規登録モード」
新規登録モードでは、制御部１１５が、新規登録モードを実行する特定の権限を付与された担当者識別番号および暗証番号が入力された場合に限り、カバーロック機構３５を駆動してカバー１６のロックを解除する以外は、鍵交換モードとほぼ同様である。
【０１３４】
「ログ出力モード」
ログ出力モードについて説明する。カードリーダ２４にＩＤカード２３が走査された後、ログ出力モードが選択され、鍵１０の管理許可のために設定された暗証番号が操作部２１に入力される。すると、制御部１１５は、カードリーダ２４で読み取ったＩＤカード２３の担当者識別番号および操作部２１に入力された暗証番号を記憶部１１６に記憶されたデータと照合することで担当者識別番号および暗証番号がログ出力モードを実行するにあたって適正であるか否かを判定する。適正である場合、制御部１１５は、記憶部１１６に記憶されている上記した記憶用ログデータを読み出し、この記憶用ログデータを構成する各持出状況データおよび各付替状況データにある鍵類識別番号（つまり選択指定を受け付けた鍵保持部３１の鍵類識別番号）のそれぞれについて、関連する用途情報を記憶部１１６から読み出して、各持出状況データおよび付替状況データの中にそれぞれ対応する用途情報を含ませる。
【０１３５】
このようにして、それぞれが用途情報を含む持出状況データおよび付替状況データが時系列的に並べられた図１０に示すような出力用ログデータ（用途情報を含むログ情報）を作成する。図１０に示す出力用ログデータの一例においては、「２０ＸＸ／３／３」の日付の日に、「００１」の鍵類識別番号の鍵保持部３１から「キンコ  トビラ」の鍵１０を、「７７７」の担当者識別番号の担当者が、「１０：１０」の持出時刻で持ち出し、「１０：２０」の返却時刻で返却したこと、「００２」の鍵類識別番号の鍵保持部３１から「ＡＴＭ１ゴウキ  トビラ」の用途情報を有する鍵１０を、「７８９」の担当者識別番号の担当者が、「１０：１５」の持出時刻で持ち出し、「１０：２５」の返却時刻で返却したこと、「００３」の鍵類識別番号の鍵保持部３１から「ＡＴＭ１ゴウキ  シュウノウコＡ  カギ」の用途情報を有する鍵１０を、「７８９」の担当者識別番号の担当者が、「１０：１６」の持出時刻で持ち出し、「１０：２６」の返却時刻で返却したこと、「００４」の鍵類識別番号の鍵保持部３１から「ＡＴＭ１ゴウキ  カイシュウコ  カギ」の用途情報を有する鍵１０を、「７８９」の担当者識別番号の担当者が、「１０：１７」の持出時刻で持ち出し、「１０：２７」の返却時刻で返却したことを表している。
【０１３６】
加えて、図１０に示す出力用ログデータの一例においては、「０２６」のメモリ類識別番号のメモリ保持部２０５から「０２６」のメモリ類識別番号のＵＳＢメモリ２０１の付いたメモリホルダ２０２を、「７８９」の担当者識別番号の担当者が、「１０：１８」の持出時刻で持ち出し、「１０：２８」の返却時刻で返却したこと、「０２７」のメモリ類識別番号のメモリ保持部２０５から「０２７」のメモリ類識別番号のＵＳＢメモリ２０１の付いたメモリホルダ２０２を、「７８９」の担当者識別番号の担当者が、「１０：１９」の持出時刻で持ち出し、「１０：２９」の返却時刻で返却し、返却の際のウイルスチェックで「１０：３０」の発見時刻でウイルスが発見され、「１０：３２」の除去時刻でウイルスが除去されたことを表している。
【０１３７】
加えて、図１０に示す出力用ログデータの一例においては、「０２１」の鍵類識別番号の鍵保持部３１から、鍵１０の付いた鍵ホルダ１１を、「７１１」の担当者識別番号の担当者が、「１３：１５」の取外時刻で取り外し、「１３：１７」の付替時刻で鍵１０を付け替え、「１３：１８」の時刻で再取り付けを誤り、「１３：１９」の再取付時刻で適正に取り付けたこと、および、「キンコ  トビラ」に用途を変更したことを表している。さらには、「０００」の識別番号の収納部３４に対し、解除具１０１を、「７１１」の担当者識別番号の担当者が、「１３：１６」の解除具使用開始時刻で使用を開始し、「１３：２０」の解除具使用終了時刻で使用を終了したことを表している。つまり、制御部１１５および記憶部１１６は、操作の際に進行したステップの順序の確認状況を履歴として残す。その際に、間違えた手順についても履歴を残す。例えば、複数の鍵ホルダ１１を指定して鍵１０の付け替えを行った場合には、履歴から、何れの鍵ホルダ１１から順番に鍵１０の付け替えを行ったかについてもわかることになる。
【０１３８】
ここで、出力用ログデータは、例えば、前回出力が行われた出力用ログデータに含まれる持出状況データおよび付替状況データよりも後に記憶された持出状況データおよび付替状況データからなるもの、出力する当日に記憶された持出状況データおよび付替状況データからなるもの、操作部２１へ指定入力された日付あるいは期間の日に記憶された持出状況データおよび付替状況データからなるもの等である。
【０１３９】
そして、制御部１１５は、このようにして作成した出力用ログデータをプリンタ部２５で用紙に出力させる。なお、出力用ログデータをプリンタ部２５で用紙に出力させるのではなく、別途のパーソナルコンピュータからなるデータ管理装置に出力して記憶させても良く、用紙への出力とデータ管理装置への記憶との両方を行っても良い。
【０１４０】
なお、制御部１１５は、上記のように操作部２１で出力操作を受け付けるとプリンタ部２５で出力用ログデータを出力させるのではなく、主電源がオンされた基準時点から、予め設定された所定の時間が経過したか否かを判断し、この所定の時間が経過したと判断した場合に、出力用ログデータを用紙あるいは別途のデータ管理装置に出力するようにしても良い。あるいは、前回出力用ログデータを出力した基準時点から、予め設定された所定の時間（例えば一週間）が経過したか否かを判断し、この所定の時間が経過したと判断した場合に、出力用ログデータを用紙あるいは別途のデータ管理装置に出力するようにしても良い。あるいは、制御部１１５は、その時計機能を利用して、予め設定された所定の時刻となったか否かを判断し、所定の時刻になったと判断した場合に、出力用ログデータを用紙あるいは別途のデータ管理装置に出力するようにしても良い。さらには、これらを適宜組み合わせるようにしても良い。
【０１４１】
以上に述べた本実施形態の重要物管理装置１によれば、可搬型の記憶媒体であるＵＳＢメモリ２０１にその貫通穴２２２に挿入されて連結された状態のメモリホルダ２０２を、装置本体１２のメモリ保持部２０５に装着状態でロックすることで、ＵＳＢメモリ２０１を装置本体１２によって保管することができる。しかも、この保管時に、メモリ保持部２０５にロックされたメモリホルダ２０２に連結されているＵＳＢメモリ２０１を装置本体１２のデータアクセス部２０９に接続させると、データアクセス部２０９がＵＳＢメモリ２０１にアクセス可能となる。よって、利便性を高めることが可能となる。
【０１４２】
すなわち、例えば、データアクセス部２０９に接続されているＵＳＢメモリ２０１の記憶データのウイルスチェック等のセキュリティ管理処理を行うことができる。よって、物理的セキュリティ管理だけでなくデータ上のセキュリティ管理ができる。このセキュリティ管理処理用のソフトウエアが通信により更新されるため、更新が容易となる。
【０１４３】
また、データアクセス部２０９に接続されているＵＳＢメモリ２０１にデータを書き込むことができる。よって、持ち出しを行うＵＳＢメモリ２０１に対し、予め作業に必要なデータを記憶させることができる。
【０１４４】
また、データアクセス部２０９に接続されているＵＳＢメモリ２０１から読み取ったデータをデータサーバ側に送信することができる。よって、ＵＳＢメモリ２０１を管理するとともに、その際にＵＳＢメモリ２０１でデータ収集を行うことができる。例えば、返却されたＵＳＢメモリ２０１に格納されているデータ（例えば、保守作業で採取した装置のログ情報など）を通信回線を介して、データサーバ側へ送信することができる。
【０１４５】
また、装置本体１２のタグリーダ５２が、メモリ保持部２０５に装着されたメモリホルダ２０２のＩＣタグ４３からメモリ類識別番号を読み取るため、メモリ保持部２０５に装着されたメモリホルダ２０２のメモリ類識別番号を得ることができる。
【０１４６】
また、鍵１０にその貫通穴６０に挿入されて連結された状態の鍵ホルダ１１を、装置本体１２の鍵保持部３１に装着状態でロックすることで、鍵１０を装置本体１２によって保管することができる。よって、ＵＳＢメモリ２０１と鍵１０とを纏めて管理することができる。
【０１４７】
以上の実施形態においては、重要物管理装置１が鍵１０とＵＳＢメモリ２０１とを管理する場合を例にとり説明したが、ＵＳＢメモリ２０１のみを管理するＵＳＢメモリ管理装置であっても良い。すなわち、重要物管理装置１が、鍵保持部３１を有さずに、メモリ管理部２１１のみを有していても良い。この場合、メモリ管理部２１１のメモリ保持部２０５で鍵ホルダ１１の着脱部材４０を保持することができるため、設定により、鍵１０とＵＳＢメモリ２０１とを管理したり、ＵＳＢメモリ２０１のみを管理したり、鍵１０のみを管理したりすることができる。
【０１４８】
また、以上の実施形態においては、メモリ管理部２１１において、メモリホルダ２０２をメモリ保持部２０５にロックし、ＵＳＢメモリ２０１はデータアクセス部２０９にロックしないようになっているが、メモリ管理部２１１において、メモリホルダ２０２をメモリ保持部２０５へロックする着脱部材ロック機構４６に加えて、ＵＳＢメモリ２０１をデータアクセス部２０９にロックするメモリロック機構を設けても良い。この場合、メモリ管理部２１１において、着脱部材ロック機構４６のロック解除時に同時にメモリロック機構のロックを解除し、また、着脱部材ロック機構４６およびメモリロック機構の両方で、メモリホルダ２０２およびＵＳＢメスコネクタ２０８をロックして装置本体１２に保持する。メモリロック機構を設けることで、ＵＳＢメモリ２０１がデータアクセス部２０９とのアクセス中にメモリロック機構がＵＳＢメモリ２０１をデータアクセス部２０９にロックする状態を維持することで、その引き抜きを防止することができる。
【０１４９】
また、以上の実施形態においては、着脱部材４０が共通形状である場合を例にとり説明したが、着脱部材４０を全て異なる形状とし、メモリ保持部２０５および鍵保持部３１の着脱部材装着穴４５をすべて異なる形状として、すべての着脱部材４０が、メモリ保持部２０５および鍵保持部３１のうち対応する一つのみに取り付け可能となるように設定して、物理的に誤装着を規制するようにしても良い。これにより、ＵＳＢメモリ２０１および鍵１０の持ち出し・返却の管理が確実に行える。すなわち、ＵＳＢメモリ２０１が物理的に対応しないメモリ保持部２０５あるいは鍵保持部３１に返却することができてしまうと、個々のＵＳＢメモリ２０１に記憶されたメモリ類識別番号が、初期化等で消去された場合には、認識できなくなり、同じメモリ類識別番号を別のＵＳＢメモリ２０１に書き込むと、不正にすり替えが可能になってしまうが、このようなすり替えを防止することができる。
【０１５０】
以上の実施形態において、重要物管理装置１の制御部１１５を、例えば重要物管理装置１が設置されている営業店とＬＡＮで連携される本店の管理ＰＣに通信可能に接続させて鍵管理システムを構築し、この管理ＰＣからの操作によって、重要物管理装置１の制御部１１５による解除具１０１へのアクセスの許諾の機能を設定可能としても良い。つまり、重要物管理装置１の制御部１１５による解除具１０１へのアクセスの許諾の有効・無効を操作入力により設定して、例えば誰であっても交換後一定期間は鍵１０の交換をできなくしたり、あるいは特定の権限を付与された担当者複数の中から一部のみが、交換後一定期間であっても鍵１０の交換を可能に選択したり等、顧客の運用形態に合わせた設定が可能となる。
【０１５１】
また、実施形態においては、解除具１０１を収納するための専用の収納部３４を設ける場合を例にとり説明したが、鍵１０と同様に管理されるＩＤカードを収納する、装置本体１２の内部に別に設けられた図示略のカード収納部を解除具１０１を収納するための収納部として用いても良い。あるいは、収納部３４をユニット化して重要物管理装置１の外面に取り付けたりすることも可能である。
【０１５２】
実施形態の変形例として、図１１に示すように、装置主体部１４に対し引き出しおよび収納可能であって上記したデータアクセス部２０９と同様に機能するデータアクセス部２０９Ａを、メモリ管理部２１１が有していても良い。変形例では、複数、具体的には２箇所のデータアクセス部２０９Ａを有しており、これらデータアクセス部２０９Ａは、装置主体部１４に対し個々に引き出し可能となっている。
【０１５３】
データアクセス部２０９Ａは、ＵＳＢメモリ２０１のＵＳＢオスコネクタ２０７が差し込まれるＵＳＢメスコネクタ２０８と、ＵＳＢメスコネクタ２０８を制御部１１５に通信可能に接続するケーブル２４１と、装置主体部１４内に設けられてケーブル２４１の繰り出しおよび巻き取りを行う図示略の巻取機構と、収納状態のＵＳＢメスコネクタ２０８を装置主体部１４にロックする図示略のロック機構とを有している。
【０１５４】
データアクセス部２０９Ａは、開閉部１５の前面に設けられた開口部２４２に挿入されて収納されることになり、このように収納された状態で図示略のロック機構で装置主体部１４にロックされる。その際に一部が開閉部１５の前面から前方に突出する。そして、操作部２１へのロック解除操作に基づいて制御部１１５がデータアクセス部２０９Ａの装置主体部１４へのロックを解除すると、データアクセス部２０９Ａは引き出し可能となり、操作者が手動で引き出す。この時、引き出し可能を表示する近傍位置の表示ランプ２４３が点灯する。データアクセス部２０９Ａは、メモリ保持部２０５のいずれの位置にメモリホルダ２０２がロックされた状態にあっても、このメモリホルダ２０２に保持されたＵＳＢメモリ２０１のＵＳＢオスコネクタ２０７に嵌合可能となるようにケーブル２４１の長さが設定されている。
【０１５５】
なお、鍵保持部３１の数および設置位置と、メモリ保持部２０５およびデータアクセス部２０９の数および設置位置とについては、実施形態の例に限定されることはなく、ユーザの希望に応じて任意に変更可能である。
【０１５６】
また、実施形態において、複数の鍵保持部３１および複数のメモリ保持部２０５は、すべて同様の構成となっているため、これら保持部のうち、いずれを鍵保持部３１にするかおよびメモリ保持部２０５にするかを、ユーザにより任意に設定変更可能としても良い。すなわち、鍵保持部３１およびメモリ保持部２０５のそれぞれの数および位置を、ユーザにより任意に設定変更可能としても良い。この場合、データアクセス部２０９が着脱可能に取り付けられる取付べース部を開閉部１５の各保持部の下側にそれぞれ設けておき、メモリ保持部２０５の設定位置および数に応じて、メモリ保持部２０５のそれぞれのすぐ下側に設けるようにデータアクセス部２０９の取り付け位置および数を設定することになる。これにより、使用開始当初から、鍵保持部３１およびメモリ保持部２０５のそれぞれの数および位置を、ユーザにより任意に設定変更可能となる上、例えば、鍵保持部３１とされていた保持部を、後でメモリ保持部２０５に変更したり、逆に、メモリ保持部２０５とされていた保持部を、後で鍵保持部３１としたりすることができる。この場合、記憶部１１６には、各保持部が鍵保持部３１およびメモリ保持部２０５のいずれに設定されているかを示す情報が記憶される。例えば、各保持部に割り当てられた保持部識別番号に対応付けて、鍵保持部またはメモリ保持部の種別（管理対象の種別）を記憶部１１６に記憶しておく。
【０１５７】
また、実施形態において、ＵＳＢメモリ２０１にＩＣタグを取り付け、データアクセス部２０９の近傍にこのデータアクセス部２０９に取り付けられたＵＳＢメモリ２０１のＩＣタグに通信するＩＣタグリーダを設けて、ＵＳＢメモリ２０１のデータアクセス部２０９への着脱の履歴を記憶部１１６に記憶するようにしても良い。
【０１５８】
また、実施形態において、連結部材２２１にかえて、連結部材４１を介して着脱部材４０とＵＳＢメモリ２０１とを連結しても良い。すなわち、鍵ホルダ１１と同様の構成のメモリホルダ２０２でＵＳＢメモリ２０１を保持するようにしても良い。この場合、連結部材４１による着脱部材４０とＵＳＢメモリ２０１との連結解除を、解除具１０１で行うことになり、その際に、ＩＣタグリーダ１０７が、連結部材４１のＩＣタグ１００と通信して、着脱部材４０に対するＵＳＢメモリ２０１の着脱の履歴を、鍵１０の着脱時と同様に、記憶部１１６に記憶することになる。また、解除具１０１によって鍵１０またはＵＳＢメモリ２０１が着脱された際に、鍵１０からＵＳＢメモリ２０１へ、ＵＳＢメモリ２０１から鍵１０へ付け替えることも可能である。この場合、制御部１１５は、付替状況データに、管理対象の種別を含めるようにしてもよい。
【符号の説明】
【０１５９】
１  重要物管理装置
１０  鍵（重要物）
１１  鍵ホルダ（ホルダ）
１２  装置本体
５２  タグリーダ（読取部）
２０１  ＵＳＢメモリ（重要物，記憶媒体）
２０２  メモリホルダ（ホルダ）
２０５  メモリ保持部（保持部）
２０９  データアクセス部
【図１】
2018193754.tif 000003
【図２】
2018193754.tif 000004
【図３】
2018193754.tif 000005
【図４】
2018193754.tif 000006
【図５】
2018193754.tif 000007
【図６】
2018193754.tif 000008
【図７】
2018193754.tif 000009
【図８】
2018193754.tif 000010
【図９】
2018193754.tif 000011
【図１０】
2018193754.tif 000012
【図１１】
2018193754.tif 000013